(57)【要約】【課題】  予め記憶された遊技媒体の貸し出しを媒介する貸出許可情報（度数）以上に遊技媒体が貸し出される不正な貸出行為を判別することを目的とする。【解決手段】  遊技媒体の貸し出しを媒介する貸出許可情報（度数）が記憶された貸出媒介物Ｃにそれぞれ固有の識別情報を付与する。また、遊技情報管理装置１０Ａにおいて、遊技機での遊技を可能とする遊技媒体の貸し出しを許可する貸出媒介物Ｃの識別情報と関連付けて、当該貸出媒介物に対して設定された貸出許可設定情報及び貸出済累積情報を記憶するそして、遊技媒体の貸出要求がある毎に貸出情報を生成し、遊技情報管理装置１０Ａに設けられた貸出管理情報記憶部に記憶して管理する貸出許可設定情報及び貸出済累積情報を参照して、遊技媒体の貸し出し可否を判別する。【選択図】図５
2005334174.tif 000002
【特許請求の範囲】
【請求項１】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、
上記遊技機は、
上記遊技媒体貸出機から当該遊技媒体貸出機が受け付けた貸出媒介物の識別情報を受け付ける貸出媒介物識別情報受付手段と、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出情報を生成する貸出情報生成手段と、
上記遊技媒体の貸出情報を上記遊技情報管理装置へ送る貸出情報送信手段と、を有し、
上記貸出媒介物は、
当該貸出媒介物の識別情報を記憶する識別情報記憶手段を有し、
上記遊技媒体貸出機は、
上記貸出媒介物の受け付けに応じて当該貸出媒介物からその識別情報を取得する貸出媒介物識別情報取得手段と、
取得した貸出媒介物の識別情報を上記遊技機へ送信する貸出媒介物識別情報送信手段と、を有し、
上記遊技情報管理装置は、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技機より送られた遊技媒体の貸出情報を受け付ける貸出情報受付手段と、
受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、
貸し出し可否の判別の結果、貸出許可設定情報値が貸出済累積情報値と同値または小さく遊技媒体の貸し出しを拒否する場合に貸出拒否情報を出力する貸出拒否情報出力手段と、
を有することを特徴とする遊技機不正貸出管理システム。
【請求項２】
前記遊技機は、
受け付けた貸出媒介物の識別情報を記憶する第１の識別情報記憶手段を有し、
前記貸出情報生成手段は、遊技媒体の貸出要求指示の受け付けに応じて上記第１の識別情報記憶手段に記憶している貸出媒介物の識別情報を抽出し、抽出した識別情報を貸出情報として生成することを特徴とする請求項１に記載の遊技機不正貸出管理システム。
【請求項３】
前記遊技機は、
当該遊技機の識別情報を記憶する第２の識別情報記憶手段と、
貸出媒介物の識別情報の受け付けに応じて上記第２の識別情報記憶手段に記憶されている遊技機の識別情報を抽出し、抽出した当該遊技機の識別情報と上記受け付けた貸出媒介物の識別情報とを関連付けて上記遊技情報管理装置へ送る関連付け識別情報送信手段と、を有し、
前記貸出情報生成手段は、遊技媒体の貸出要求指示の受け付けに応じて上記第２の識別情報記憶手段に記憶している遊技機の識別情報を抽出し、抽出した識別情報を貸出情報として生成することを特徴とする請求項１に記載の遊技機不正貸出管理システム。
【請求項４】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、
上記遊技機は、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出要求指示情報を発生する貸出要求指示情報発生手段と、
上記遊技媒体の貸出要求指示情報を上記遊技媒体貸出機へ送る貸出要求指示情報送信手段と、を有し、
上記貸出媒介物は、
当該貸出媒介物の識別情報を記憶する識別情報記憶手段を有し、
上記遊技媒体貸出機は、
上記貸出媒介物の受け付けに応じて当該貸出媒介物からその識別情報を取得する貸出媒介物識別情報取得手段と、
取得した貸出媒介物の識別情報を上記遊技情報管理装置へ送信する貸出媒介物識別情報送信手段と、
上記遊技機から遊技媒体の貸出要求指示情報を受け付ける貸出要求指示情報受付手段と、
遊技媒体の貸出要求指示情報の受け付けに応じて遊技媒体の貸出情報を生成する貸出情報生成手段と、
上記遊技媒体の貸出情報を上記遊技情報管理装置へ送る貸出情報送信手段と、を有し、
上記遊技情報管理装置は、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技媒体貸出機より送られた貸出媒介物の識別情報を受け付ける貸出媒介物識別情報受付手段と、
上記遊技媒体貸出機より送られた遊技媒体の貸出情報を受け付ける貸出情報受付手段と、
受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、
貸し出し可否の判別の結果、貸出許可設定情報値が貸出済累積情報値と同値または小さく、遊技媒体の貸し出しを拒否する場合に貸出拒否情報を出力する貸出拒否情報出力手段と、
を有することを特徴とする遊技機不正貸出管理システム。
【請求項５】
前記遊技媒体貸出機は、
取得した貸出媒介物の識別情報を記憶する第１の識別情報記憶手段を有し、
前記貸出情報生成手段は、遊技媒体の貸出要求指示情報の受け付けに応じて上記第１の識別情報記憶手段に記憶している貸出媒介物の識別情報を抽出し、抽出した識別情報を貸出情報として生成することを特徴とする請求項４に記載の遊技機不正貸出管理システム。
【請求項６】
前記遊技媒体貸出機は、
当該遊技媒体貸出機の識別情報を記憶する第２の識別情報記憶手段と、
貸出媒介物の識別情報の受け付けに応じて上記第２の識別情報記憶手段に記憶されている遊技媒体貸出機の識別情報を抽出し、抽出した当該遊技媒体貸出機の識別情報と上記受け付けた貸出媒介物の識別情報とを関連付けて上記遊技情報管理装置へ送る関連付け識別情報送信手段と、を有し、
前記貸出情報生成手段は、遊技媒体の貸出要求指示情報の受け付けに応じて上記第２の識別情報記憶手段に記憶している遊技媒体貸出機の識別情報を抽出し、抽出した識別情報を貸出情報として生成することを特徴とする請求項４に記載の遊技機不正貸出管理システム。
【請求項７】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、
上記遊技機は、
上記遊技媒体貸出機から当該遊技媒体貸出機が受け付けた貸出媒介物の識別情報を受け付ける貸出媒介物識別情報受付手段と、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出情報を生成する遊技機貸出情報生成手段と、
遊技媒体の貸出要求指示の受け付けに応じて遊技媒体の貸出要求指示情報を発生する貸出要求指示情報発生手段と、
上記生遊技媒体の貸出情報を上記遊技情報管理装置へ送る貸出情報送信手段と、
上記遊技媒体の貸出要求指示情報を上記遊技媒体貸出機へ送る貸出要求指示情報送信手段と、を有し、
上記貸出媒介物は、
当該貸出媒介物の識別情報を記憶する識別情報記憶手段を有し、
上記遊技媒体貸出機は、
上記貸出媒介物の受け付けに応じて当該貸出媒介物からその識別情報を取得する貸出媒介物識別情報取得手段と、
取得した貸出媒介物の識別情報を上記遊技機及び上記遊技情報管理装置へ送信する貸出媒介物識別情報送信手段と、
上記遊技機から遊技媒体の貸出要求指示情報を受け付ける貸出要求指示情報受付手段と、
遊技媒体の貸出要求指示情報の受け付けに応じて遊技媒体の貸出情報を生成する貸出機貸出情報生成手段と、
上記遊技媒体の貸出情報を上記遊技情報管理装置へ送る貸出情報送信手段と、を有し、
上記遊技情報管理装置は、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技媒体貸出機より送られた貸出媒介物の識別情報を受け付ける貸出媒介物識別情報受付手段と、
上記遊技機より送られた遊技媒体の遊技機貸出情報を受け付ける第１の貸出情報受付手段と、
上記遊技媒体貸出機より送られた遊技媒体の貸出機貸出情報を受け付ける第２の貸出情報受付手段と、
上記第１の貸出情報受付手段で受け付けた貸出情報に基づき、上記貸出管理情報記憶手段を参照して当該貸出媒介物に対して設定された貸出許可設定情報及び貸出済累積情報を抽出する第１の貸出情報抽出手段と、
上記第２の貸出情報受付手段で受け付けた貸出情報に基づき、上記貸出管理情報記憶手段を参照して当該貸出媒介物に対して設定された貸出許可設定情報及び貸出済累積情報を抽出する第２の貸出情報抽出手段と、
上記第１の貸出情報抽出手段及び第２の貸出情報抽出手段における貸出済累積情報同士が同値であるか否か比較し、遊技媒体の貸し出し可否を判別する第１の貸出判別手段と、
上記第１の貸し出し可否の判別の結果、貸出済累積情報が同値であり、遊技媒体の貸し出しを許可する場合に、さらに上記第１の貸出情報抽出手段及び第２の貸出情報抽出手段において抽出した貸出許可設定情報と貸出済累積情報とを比較して遊技媒体の貸し出し可否を判別する第２の貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物の貸出許可情報を減算する貸出許可情報演算手段と、
貸し出し可否の判別の結果、貸出許可設定情報値が貸出済累積情報値と同値または小さく遊技媒体の貸し出しを拒否する場合に貸出拒否情報を出力する貸出拒否情報出力手段と、
を有することを特徴とする遊技機不正貸出管理システム。
【請求項８】
前記遊技機は、
受け付けた貸出媒介物の識別情報を記憶する第１の遊技機側識別情報記憶手段を有し、
前記遊技機貸出情報生成手段は、遊技媒体の貸出要求指示の受け付けに応じて上記第１の遊技機側識別情報記憶手段に記憶している貸出媒介物の識別情報を抽出し、抽出した識別情報を遊技機貸出情報として生成し、
前記遊技媒体貸出機は、
取得した貸出媒介物の識別情報を記憶する第１の貸出機側識別情報記憶手段を有し、
前記貸出情報生成手段は、遊技媒体の貸出要求指示情報の受け付けに応じて上記第１の貸出機側識別情報記憶手段に記憶している貸出媒介物の識別情報を抽出し、抽出した識別情報を貸出機貸出情報として生成する
ことを特徴とする請求項７に記載の遊技機不正貸出管理システム。
【請求項９】
前記遊技機は、
当該遊技機の識別情報を記憶する第２の遊技機側識別情報記憶手段と、
貸出媒介物の識別情報の受け付けに応じて上記第２の遊技機側識別情報記憶手段に記憶されている遊技機の識別情報を抽出し、抽出した当該遊技機の識別情報と上記受け付けた貸出媒介物の識別情報とを関連付けて上記遊技情報管理装置へ送る関連付け識別情報送信手段と、を有し、
前記遊技機貸出情報生成手段は、遊技媒体の貸出要求指示の受け付けに応じて上記第２の遊技機側識別情報記憶手段に記憶している遊技機の識別情報を抽出し、抽出した識別情報を遊技機貸出情報として生成し、
前記遊技媒体貸出機は、
当該遊技媒体貸出機の識別情報を記憶する第２の貸出機側識別情報記憶手段と、
貸出媒介物の識別情報の受け付けに応じて上記第２の貸出機側識別情報記憶手段に記憶されている遊技媒体貸出機の識別情報を抽出し、抽出した当該遊技媒体貸出機の識別情報と上記受け付けた貸出媒介物の識別情報とを関連付けて上記遊技情報管理装置へ送る貸出機側識別情報送信手段と、を有し、
前記貸出機貸出情報生成手段は、遊技媒体の貸出要求指示情報の受け付けに応じて上記第２の貸出機側識別情報記憶手段に記憶している遊技媒体貸出機の識別情報を抽出し、抽出した識別情報を貸出機貸出情報として生成する
ことを特徴とする請求項７に記載の遊技機不正貸出管理システム。
【請求項１０】
遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、
上記遊技媒体貸出機から当該遊技媒体貸出機が受け付けた貸出媒介物の識別情報を受け付ける貸出媒介物識別情報受付手段と、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出情報を生成する貸出情報生成手段と、
上記遊技媒体の貸出情報を上記遊技情報管理装置へ送る貸出情報送信手段と、
を有することを特徴とする遊技機。
【請求項１１】
前記受け付けた貸出媒介物の識別情報を記憶する第１の識別情報記憶手段を更に有し、
前記貸出情報生成手段は、遊技媒体の貸出要求指示の受け付けに応じて上記第１の識別情報記憶手段に記憶している貸出媒介物の識別情報を抽出し、抽出した識別情報を貸出情報として生成することを特徴とする請求項１０に記載の遊技機。
【請求項１２】
当該遊技機の識別情報を記憶する第２の識別情報記憶手段と、
前記貸出媒介物の識別情報の受け付けに応じて上記第２の識別情報記憶手段に記憶されている遊技機の識別情報を抽出し、抽出した当該遊技機の識別情報と上記受け付けた貸出媒介物の識別情報とを関連付けて上記遊技情報管理装置へ送る関連付け識別情報送信手段と、を更に有し、
前記貸出情報生成手段は、遊技媒体の貸出要求指示の受け付けに応じて上記第２の識別情報記憶手段に記憶している遊技機の識別情報を抽出し、抽出した識別情報を貸出情報として生成することを特徴とする請求項１０に記載の遊技機。
【請求項１３】
遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出要求指示情報を発生する貸出要求指示情報発生手段と、
上記遊技媒体の貸出要求指示情報を上記遊技媒体貸出機へ送る貸出要求指示情報送信手段と、
を有することを特徴とする遊技機。
【請求項１４】
遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、
上記遊技媒体貸出機から当該遊技媒体貸出機が受け付けた貸出媒介物の識別情報を受け付ける貸出媒介物識別情報受付手段と、
当該遊技機の貸出要求スイッチより遊技媒体の貸し出しを要求する指示を受け付ける貸出要求指示受付手段と、
遊技媒体の貸出要求指示の受け付けに応じて遊技媒体の貸出情報を生成する遊技機貸出情報生成手段と、
遊技媒体の貸出要求指示の受け付けに応じて遊技媒体の貸出要求指示情報を発生する貸出要求指示情報発生手段と、
上記生遊技媒体の貸出情報を上記遊技情報管理装置へ送る貸出情報送信手段と、
上記遊技媒体の貸出要求指示情報を上記遊技媒体貸出機へ送る貸出要求指示情報送信手段と、
を有することを特徴とする遊技機。
【請求項１５】
遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技機より送られた遊技媒体の貸出情報を受け付ける貸出情報受付手段と、
受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、
貸し出し可否の判別の結果、貸出許可設定情報値が貸出済累積情報値と同値または小さく遊技媒体の貸し出しを拒否する場合に貸出拒否情報を出力する貸出拒否情報出力手段と、
を有することを特徴とする遊技情報管理装置。
【請求項１６】
遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技媒体貸出機より送られた貸出媒介物の識別情報を受け付ける貸出媒介物識別情報受付手段と、
上記遊技媒体貸出機より送られた遊技媒体の貸出情報を受け付ける貸出情報受付手段と、
受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段
貸し出し可否の判別の結果、貸出許可設定情報値が貸出済累積情報値と同値または小さく、遊技媒体の貸し出しを拒否する場合に貸出拒否情報を出力する貸出拒否情報出力手段と、
を有することを特徴とする遊技情報管理装置。
【請求項１７】
遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、
上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、
上記遊技媒体貸出機より送られた貸出媒介物の識別情報を受け付ける貸出媒介物識別情報受付手段と、
上記遊技機より送られた遊技媒体の遊技機貸出情報を受け付ける第１の貸出情報受付手段と、
上記遊技媒体貸出機より送られた遊技媒体の貸出機貸出情報を受け付ける第２の貸出情報受付手段と、
上記第１の貸出情報受付手段で受け付けた貸出情報に基づき、上記貸出管理情報記憶手段を参照して当該貸出媒介物に対して設定された貸出許可設定情報及び貸出済累積情報を抽出する第１の貸出情報抽出手段と、
上記第２の貸出情報受付手段で受け付けた貸出情報に基づき、上記貸出管理情報記憶手段を参照して当該貸出媒介物に対して設定された貸出許可設定情報及び貸出済累積情報を抽出する第２の貸出情報抽出手段と、
上記第１の貸出情報抽出手段及び第２の貸出情報抽出手段における貸出済累積情報同士が同値であるか否か比較し、遊技媒体の貸し出し可否を判別する第１の貸出判別手段と、
上記第１の貸し出し可否の判別の結果、貸出済累積情報が同値であり、遊技媒体の貸し出しを許可する場合に、さらに上記第１の貸出情報抽出手段及び第２の貸出情報抽出手段において抽出した貸出許可設定情報と貸出済累積情報とを比較して遊技媒体の貸し出し可否を判別する第２の貸出判別手段と、
貸し出し可否の判別の結果、貸出許可設定情報値が貸出済累積情報値より大きく、遊技媒体の貸し出しを許可する場合に上記貸出情報に応じて抽出した上記貸出媒介物の貸出許可情報を減算する貸出許可情報演算手段と、
貸し出し可否の判別の結果、貸出許可設定情報値が貸出済累積情報値と同値または小さく遊技媒体の貸し出しを拒否する場合に貸出拒否情報を出力する貸出拒否情報出力手段と、
を有することを特徴とする遊技情報管理装置。
【請求項１８】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、
上記遊技媒体貸出機が、上記貸出媒介物を受け付ける処理と、
上記遊技媒体貸出機が、受け付けた上記貸出媒介物からその識別情報を読み込んで取得する処理と、
上記遊技媒体貸出機が、取得した貸出媒介物の識別情報を上記遊技機へ送信する処理と、
上記遊技機が、上記遊技媒体貸出機から送られた貸出媒介物の識別情報を受け付ける処理と、
上記遊技機が、当該遊技機の貸出要求スイッチより遊技媒体の貸し出しを要求する指示を受け付ける処理と、
上記遊技機が、受け付けた遊技媒体の貸出要求指示に応じて遊技媒体の貸出情報を生成する処理と、
上記遊技機が、生成した遊技媒体の貸出情報を上記遊技情報管理装置へ送る処理と、
上記遊技情報管理装置が、上記遊技機より送られた遊技媒体の貸出情報を受け付ける処理と、
上記遊技情報管理装置が、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理と、
上記遊技情報管理装置が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、遊技媒体の貸し出しを拒否する場合に貸出拒否情報を出力する処理と、
を行うことを特徴とする遊技機不正貸出管理方法。
【請求項１９】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、
上記遊技媒体貸出機が、上記貸出媒介物を受け付ける処理と、
上記遊技媒体貸出機が、受け付けた上記貸出媒介物からその識別情報を読み込んで取得する処理と、
上記遊技媒体貸出機が、取得した貸出媒介物の識別情報を上記技情報管理装置へ送る処理と、
上記遊技情報管理装置が、遊技媒体貸出機より送られた貸出媒介物の識別情報を受け付ける処理と、
上記遊技機が、当該遊技機の貸出要求スイッチより遊技媒体の貸し出しを要求する指示を受け付ける処理と、
上記遊技機が、受け付けた遊技媒体の貸出要求指示に応じて遊技媒体の貸出要求指示情報を発生する処理と、
上記遊技機が、発生した貸出要求指示情報を上記遊技媒体貸出機へ送る処理と、
上記遊技媒体貸出機が、上記遊技機から遊技媒体の貸出要求指示情報を受け付ける処理と、
上記遊技媒体貸出機が、上記遊技媒体の貸出要求指示情報の受け付けに応じて遊技媒体の貸出情報を生成する処理と、
上記遊技媒体貸出機が、生成した遊技媒体の貸出情報を上記遊技情報管理装置へ送る処理と、
上記遊技情報管理装置が、遊技媒体貸出機より送られた遊技媒体の貸出情報を受け付ける処理と、
上記遊技情報管理装置が、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理と、
上記遊技情報管理装置が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、貸出許可設定情報値が貸出済累積情報値と同値または小さく、遊技媒体の貸し出しを拒否する場合に貸出拒否情報を出力する処理と、
を行うことを特徴とする遊技機不正貸出管理方法。
【請求項２０】
遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、
上記遊技媒体貸出機が、上記貸出媒介物を受け付ける処理と、
上記遊技媒体貸出機が、受け付けた上記貸出媒介物からその識別情報を読み込んで取得する処理と、
上記遊技媒体貸出機が、取得した貸出媒介物の識別情報を上記遊技情報管理装置へ送る処理と、
上記遊技媒体貸出機が、取得した貸出媒介物の識別情報を上記遊技機へ送信する処理と、
上記遊技機が、上記遊技媒体貸出機から送られた貸出媒介物の識別情報を受け付ける処理と、
上記遊技機が、当該遊技機の貸出要求スイッチより遊技媒体の貸し出しを要求する指示を受け付ける処理と、
上記遊技機が、受け付けた遊技媒体の貸出要求指示に応じて遊技媒体の貸出情報を生成する処理と、
上記遊技機が、受け付けた遊技媒体の貸出要求指示に応じて遊技媒体の貸出要求指示情報を発生する処理と、
上記遊技機が、生成した貸出情報を上記遊技情報管理装置へ送る処理と、
上記遊技機が、発生した貸出要求指示情報を上記遊技媒体貸出機へ送る処理と、
上記遊技媒体貸出機が、上記遊技機より送られた貸出要求指示情報を受け付ける処理と、
上記遊技媒体貸出機が、上記遊技媒体の貸出要求指示情報の受け付けに応じて遊技媒体の貸出情報を生成する処理と、
上記遊技媒体貸出機が、生成した遊技媒体の貸出情報を上記遊技情報管理装置へ送る処理と、
上記遊技情報管理装置が、上記遊技媒体貸出機から送られた貸出媒介物の識別情報を受け付ける処理と、
上記遊技情報管理装置が、上記遊技機より送られた遊技媒体の遊技機貸出情報を受け付ける処理と、
上記遊技情報管理装置が、上記遊技媒体貸出機より送られた遊技媒体の貸出機貸出情報を受け付ける処理と、
上記遊技情報管理装置が、上記受け付けた遊技機貸出情報に基づき、上記貸出管理情報記憶手段を参照して当該貸出媒介物に対して設定された貸出許可設定情報及び貸出済累積情報を抽出する処理と、
上記遊技情報管理装置が、上記抽出した貸出済累積情報同士が同値であるか否か比較し、遊技媒体の貸し出し可否を判別する処理と、
上記遊技情報管理装置が、上記貸し出し可否の判別の結果、貸出済累積情報が同値であり、遊技媒体の貸し出しを許可する場合に、さらに上記抽出した貸出許可設定情報と貸出済累積情報とを比較して遊技媒体の貸し出し可否を判別する処理と、
上記遊技情報管理装置が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、貸出許可設定情報値が貸出済累積情報値と同値または小さく遊技媒体の貸し出しを拒否する場合に貸出拒否情報を出力する処理と、
を行うことを特徴とする遊技機不正貸出管理方法。
【発明の詳細な説明】
【技術分野】
【０００１】
本発明は、たとえばパチンコ遊技機（以下、単に「パチンコ」と言う。）や回胴式遊技機（以下、単に「スロットマシン」と言う。）等の遊技機に対して、パチンコ玉やメダルといった遊技媒体を貸し出す遊技媒体貸出機（プリペイドカードユニットとも呼ばれている。以下、単に「カードユニット」と言う。）を装備した遊技機において、不正な貸出行為を判別して管理するようにした遊技機不正貸出管理システムとその装置、及び方法に関するものである。
【背景技術】
【０００２】
近年、遊技機としてパチンコやスロットマシンが普及している。このパチンコは、遊技媒体としてたとえば１玉４円の玉の貸し出しを受けて遊技するもので、遊技ＣＲカードを用いた第１種（セブン機）が主流である。そして遊技者は、所要額のＣＲカードを購入して、このＣＲカードをカードユニットに挿入して前記所要額までの玉貸しを適宜受けられるようになっている。
【０００３】
一方、スロットマシンは、遊技媒体としてたとえば１枚２０円のメダルの貸し出しを受けて遊技するものであり、遊技者は、メダル貸出機より１０００円で５０枚のメダル貸し出しを受ける。そして、メダル投入口から遊技機にメダルを投入し、５０枚を限度とする貯留装置（クレジット部）にメダルを貯留し、ベットボタンまたはマックスベットボタンを押して、所要ベット（一般的には３ベット）を行い遊技している。
【０００４】
このようなスロットマシンは、通常、メダル投入口に遊技媒体であるメダルを１〜３枚投入して遊技することも行われる。遊技において入賞が発生すると、その入賞に応じてメダルがメダル受け皿に払い出される。また、スロットマシンにおいては、遊技者がメダル投入口に投入したメダル、および入賞に応じて払い出される配当メダルを、上記貯留装置に貯留（クレジット）することも出来る。そして、クレジットされたメダルの枚数は、貯留枚数表示部にセグメントＬＥＤ（発光ダイオード）等によって数値で表示される。
【０００５】
また、遊技場等に設置されるスロットマシンにあたっては、例えば、遊技場の特定の場所（管理者のみが入室可能な管理室等）に設置されている管理用の電子装置（以下、「ホールコンピュータ」と言う。）等に接続され、ホールコンピュータが遊技場に設置されている多数のスロットマシンを統括管理すると共に、各スロットマシンの出玉データ等の状況の管理運用している。
【０００６】
そして、不正防止を目的として、ホールコンピュータと各スロットマシンとの間でインタレクティブ（双方向的）に信号の授受を行うことが禁止され、かかるインタラクティブに信号の授受を行う機能を有した不適切なスロットマシンの市場への提供が予め禁止されている。
【０００７】
より具体的に述べれば、適正なスロットマシンにあっては、マイクロプロセッサ（ＭＰＵ）を備えた主制御基板（「メインボート」とも呼ばれている。）と、上述のホールコンピュータと主制御基板との間を接続するインターフェースとしての外部集中端子装置（「外部集中端子板」、「集中端子基板」等を呼ばれている。）とが一般に設けられている。
【０００８】
そして、主制御基板がスロットマシンのゲーム動作、及び動作状況等を集中的に管理、制御すると共に、ホールコンピュータとの間で信号の出力又は入力等を行う場合には、上述の制御中に得られる「遊技メダル投入信号」、「遊技メダル払い出し信号」、「役物作動信号」、「役物連続作動装置動作信号」、「役物連続作動増加装置動作信号」、「高確率役物遊技信号」と呼ばれる６種の出力信号ＯＵＴ１〜ＯＵＴ６を、外部集中端子板を介してホールコンピュータへ出力し、また、「打ち止め解除信号」と呼ばれる入力信号ＩＮをホールコンピュータから外部集中端子板を介して入力する構成となっている。
【０００９】
このように、主制御基板からホールコンピュータへ信号を一方向に出力すると共に、ホールコンピュータから主制御基板への信号入力も一方向に行うことによって、インタラクティブに信号の授受を行うことのない適正なスロットマシンが供給されている。
【００１０】
ところで、上述したような形態で遊技するスロットマシンに、パチンコで使用しているＣＲカードユニットを装備する構想があるが、巧妙な貸出行為を働くいわゆる不正行為者が問題となっている。たとえば、上述した現行のスロットマシンのように、メダル投入口からの遊技メダル投入と比べて、遊技媒体の貸し出しを媒介する貸出許可情報（度数）が予め記憶されたプリペイドカードからの貸し出しでクレジットを電気的に増加させる場合、様々な不正が行われる危険性がある。また最近、メダル投入口より不正道具を挿入し、クレジットを増加させる不正が横行している。
【００１１】
そのため、カード式スロットマシンの場合、カードに記憶された貸出許可情報（度数）を減算させずにクレジットを増加させることが考えられるため、その対策が急務となっている。
【００１２】
そこで、プリペイドカードなどの記録媒体の記録情報に基づき特定される遊技者所有の有価価値を、所定量のメダルまたはクレジットと交換することを指示すると、これに応答して、所定量のメダルの払出またはクレジットの加算を行うが、遊技機のゲーム中においては、メダルの払出またはクレジットへの加算を禁止するようにした手段が提案されている。
【００１３】
【特許文献１】特開２００１−７９１４４号公報
【発明の開示】
【発明が解決しようとする課題】
【００１４】
しかしながら、上記手段では、ゲームの結果による有価価値の付与と貸出手段による遊技のための遊技用価値の貸出とを明確に区別することにより、不正を判定するものとしているため、メダルまたはクレジット残量が少なくなっても連続して遊技を楽しみたい場合に、遊技機のゲーム中において貸出手段による遊技のための遊技用価値の払出が行うことが出来ないため、所定量のメダルの払出またはクレジットの加算のために、一旦遊技を中断しなければならない。
【００１５】
本発明はこのような課題を解決するために発案されたものであり、プリペイドカードなどの記憶媒体に予め記憶された遊技媒体の貸し出しを媒介する貸出許可情報（度数）以上に遊技媒体が貸し出される不正な貸出行為を判別して管理するようにした遊技機不正貸出管理システムとその装置、及び方法を提供することを目的とする。
【課題を解決するための手段】
【００１６】
本発明の第一の遊技機不正貸出管理システムは、請求項１に記載の通り、遊技媒体を介して遊技を可能とする遊技機と、遊技媒体の貸し出しを媒介する貸出許可情報（度数）を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、上記遊技機は、上記遊技媒体貸出機から当該遊技媒体貸出機が受け付けた貸出媒介物の識別情報を受け付ける貸出媒介物識別情報受付手段と、当該遊技機の貸出要求スイッチより遊技媒体の貸し出しを要求する指示を受け付ける貸出要求指示受付手段と、遊技媒体の貸出要求指示の受け付けに応じて遊技媒体の貸出情報を生成する貸出情報生成手段と、上記遊技媒体の貸出情報を上記遊技情報管理装置へ送る貸出情報送信手段とを有し、上記貸出媒介物は、当該貸出媒介物の識別情報を記憶する識別情報記憶手段を有し、上記遊技媒体貸出機は、上記貸出媒介物の受け付けに応じて当該貸出媒介物からその識別情報を取得する貸出媒介物識別情報取得手段と、取得した貸出媒介物の識別情報を上記遊技機へ送信する貸出媒介物識別情報送信手段とを有し、上記遊技情報管理装置は、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技機より送られた遊技媒体の貸出情報を受け付ける貸出情報受付手段と、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、貸し出し可否の判別の結果、貸出許可設定情報値が貸出済累積情報値と同値または小さく遊技媒体の貸し出しを拒否する場合に貸出拒否情報を出力する貸出拒否情報出力手段とを有することを特徴とする。
【００１７】
本発明の第二の遊技機不正貸出管理システムは、請求項２に記載の通り、上記第一のシステムに加え、前記遊技機は、受け付けた貸出媒介物の識別情報を記憶する第１の識別情報記憶手段を有し、前記貸出情報生成手段は、遊技媒体の貸出要求指示の受け付けに応じて上記第１の識別情報記憶手段に記憶している貸出媒介物の識別情報を抽出し、抽出した識別情報を貸出情報として生成することを特徴とする。
【００１８】
本発明の第三の遊技機不正貸出管理システムは、請求項３に記載の通り、上記第一のシステムに加え、前記遊技機は、当該遊技機の識別情報を記憶する第２の識別情報記憶手段と、貸出媒介物の識別情報の受け付けに応じて上記第２の識別情報記憶手段に記憶されている遊技機の識別情報を抽出し、抽出した当該遊技機の識別情報と上記受け付けた貸出媒介物の識別情報とを関連付けて上記遊技情報管理装置へ送る関連付け識別情報送信手段と、を有し、前記貸出情報生成手段は、遊技媒体の貸出要求指示の受け付けに応じて上記第２の識別情報記憶手段に記憶している遊技機の識別情報を抽出し、抽出した識別情報を貸出情報として生成することを特徴とする。
【００１９】
本発明の第四の遊技機不正貸出管理システムは、請求項４に記載の通り、遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、上記遊技機は、当該遊技機の貸出要求スイッチより遊技媒体の貸し出しを要求する指示を受け付ける貸出要求指示受付手段と、遊技媒体の貸出要求指示の受け付けに応じて遊技媒体の貸出要求指示情報を発生する貸出要求指示情報発生手段と、上記遊技媒体の貸出要求指示情報を上記遊技媒体貸出機へ送る貸出要求指示情報送信手段とを有し、上記貸出媒介物は、当該貸出媒介物の識別情報を記憶する識別情報記憶手段を有し、上記遊技媒体貸出機は、上記貸出媒介物の受け付けに応じて当該貸出媒介物からその識別情報を取得する貸出媒介物識別情報取得手段と、取得した貸出媒介物の識別情報を上記遊技情報管理装置へ送信する貸出媒介物識別情報送信手段と、上記遊技機から遊技媒体の貸出要求指示情報を受け付ける貸出要求指示情報受付手段と、遊技媒体の貸出要求指示情報の受け付けに応じて遊技媒体の貸出情報を生成する貸出情報生成手段と、上記遊技媒体の貸出情報を上記遊技情報管理装置へ送る貸出情報送信手段とを有し、上記遊技情報管理装置は、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技媒体貸出機より送られた貸出媒介物の識別情報を受け付ける貸出媒介物識別情報受付手段と、上記遊技媒体貸出機より送られた遊技媒体の貸出情報を受け付ける貸出情報受付手段と、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、貸し出し可否の判別の結果、貸出許可設定情報値が貸出済累積情報値と同値または小さく、遊技媒体の貸し出しを拒否する場合に貸出拒否情報を出力する貸出拒否情報出力手段とを有することを特徴とする。
【００２０】
本発明の第五の遊技機不正貸出管理システムは、請求項５に記載の通り、上記第四のシステムに加え、前記遊技媒体貸出機は、取得した貸出媒介物の識別情報を記憶する第１の識別情報記憶手段を有し、前記貸出情報生成手段は、遊技媒体の貸出要求指示情報の受け付けに応じて上記第１の識別情報記憶手段に記憶している貸出媒介物の識別情報を抽出し、抽出した識別情報を貸出情報として生成することを特徴とする。
【００２１】
本発明の第六の遊技機不正貸出管理システムは、請求項６に記載の通り、上記第四のシステムに加え、前記遊技媒体貸出機は、当該遊技媒体貸出機の識別情報を記憶する第２の識別情報記憶手段と、貸出媒介物の識別情報の受け付けに応じて上記第２の識別情報記憶手段に記憶されている遊技媒体貸出機の識別情報を抽出し、抽出した当該遊技媒体貸出機の識別情報と上記受け付けた貸出媒介物の識別情報とを関連付けて上記遊技情報管理装置へ送る関連付け識別情報送信手段とを有し、前記貸出情報生成手段は、遊技媒体の貸出要求指示情報の受け付けに応じて上記第２の識別情報記憶手段に記憶している遊技媒体貸出機の識別情報を抽出し、抽出した識別情報を貸出情報として生成することを特徴とする。
【００２２】
本発明の第七の遊技機不正貸出管理システムは、請求項７に記載の通り、遊技媒体を介して遊技を可能とする遊技機と、遊技媒体の貸し出しを媒介する貸出許可情報（度数）を記憶する貸出媒介物と、上記貸出媒介物を受け付けると共に上記遊技機と情報の授受が可能に構成されている遊技媒体貸出機と、上記遊技機及び上記遊技媒体貸出機とそれぞれ一方的な情報の授受が可能に構成されている遊技情報管理装置とを有するシステムであって、上記遊技機は、上記遊技媒体貸出機から当該遊技媒体貸出機が受け付けた貸出媒介物の識別情報を受け付ける貸出媒介物識別情報受付手段と、当該遊技機の貸出要求スイッチより遊技媒体の貸し出しを要求する指示を受け付ける貸出要求指示受付手段と、遊技媒体の貸出要求指示の受け付けに応じて遊技媒体の貸出情報を生成する遊技機貸出情報生成手段と、遊技媒体の貸出要求指示の受け付けに応じて遊技媒体の貸出要求指示情報を発生する貸出要求指示情報発生手段と、上記生遊技媒体の貸出情報を上記遊技情報管理装置へ送る貸出情報送信手段と、上記遊技媒体の貸出要求指示情報を上記遊技媒体貸出機へ送る貸出要求指示情報送信手段とを有し、上記貸出媒介物は、当該貸出媒介物の識別情報を記憶する識別情報記憶手段を有し、上記遊技媒体貸出機は、上記貸出媒介物の受け付けに応じて当該貸出媒介物からその識別情報を取得する貸出媒介物識別情報取得手段と、取得した貸出媒介物の識別情報を上記遊技情報管理装置及び上記遊技機へそれぞれ送信する貸出媒介物識別情報送信手段と、上記遊技機から遊技媒体の貸出要求指示情報を受け付ける貸出要求指示情報受付手段と、遊技媒体の貸出要求指示情報の受け付けに応じて遊技媒体の貸出情報を生成する貸出機貸出情報生成手段と、上記遊技媒体の貸出情報を上記遊技情報管理装置へ送る貸出情報送信手段とを有し、上記遊技情報管理装置は、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技媒体貸出機より送られた貸出媒介物の識別情報を受け付ける貸出媒介物識別情報受付手段と、上記遊技機より送られた遊技媒体の遊技機貸出情報を受け付ける第１の貸出情報受付手段と、上記遊技媒体貸出機より送られた遊技媒体の貸出機貸出情報を受け付ける第２の貸出情報受付手段と、上記第１の貸出情報受付手段で受け付けた貸出情報に基づき、上記貸出管理情報記憶手段を参照して当該貸出媒介物に対して設定された貸出許可設定情報及び貸出済累積情報を抽出する第１の貸出情報抽出手段と、上記第２の貸出情報受付手段で受け付けた貸出情報に基づき、上記貸出管理情報記憶手段を参照して当該貸出媒介物に対して設定された貸出許可設定情報及び貸出済累積情報を抽出する第２の貸出情報抽出手段と、上記第１の貸出情報抽出手段及び第２の貸出情報抽出手段における貸出済累積情報同士が同値であるか否か比較し、遊技媒体の貸し出し可否を判別する第１の貸出判別手段と、上記第１の貸し出し可否の判別の結果、貸出済累積情報が同値であり、遊技媒体の貸し出しを許可する場合に、さらに上記第１の貸出情報抽出手段及び第２の貸出情報抽出手段において抽出した貸出許可設定情報と貸出済累積情報とを比較して遊技媒体の貸し出し可否を判別する第２の貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物の貸出許可情報を減算する貸出許可情報演算手段と、貸し出し可否の判別の結果、貸出許可設定情報値が貸出済累積情報値と同値または小さく遊技媒体の貸し出しを拒否する場合に貸出拒否情報を出力する貸出拒否情報出力手段とを有することを特徴とする。
【００２３】
本発明の第八の遊技機不正貸出管理システムは、請求項８に記載の通り、上記第七のシステムに加え、前記遊技機は、受け付けた貸出媒介物の識別情報を記憶する第１の遊技機側識別情報記憶手段を有し、前記遊技機貸出情報生成手段は、遊技媒体の貸出要求指示の受け付けに応じて上記第１の遊技機側識別情報記憶手段に記憶している貸出媒介物の識別情報を抽出し、抽出した識別情報を遊技機貸出情報として生成し、前記遊技媒体貸出機は、取得した貸出媒介物の識別情報を記憶する第１の貸出機側識別情報記憶手段を有し、前記貸出情報生成手段は、遊技媒体の貸出要求指示情報の受け付けに応じて上記第１の貸出機側識別情報記憶手段に記憶している貸出媒介物の識別情報を抽出し、抽出した識別情報を貸出機貸出情報として生成することを特徴とする。
【００２４】
本発明の第九の遊技機不正貸出管理システムは、請求項９に記載の通り、上記第七のシステムに加え、前記遊技機は、当該遊技機の識別情報を記憶する第２の遊技機側識別情報記憶手段と、貸出媒介物の識別情報の受け付けに応じて上記第２の遊技機側識別情報記憶手段に記憶されている遊技機の識別情報を抽出し、抽出した当該遊技機の識別情報と上記受け付けた貸出媒介物の識別情報とを関連付けて上記遊技情報管理装置へ送る遊技機側識別情報送信手段とを有し、前記遊技機貸出情報生成手段は、遊技媒体の貸出要求指示の受け付けに応じて上記第２の遊技機側識別情報記憶手段に記憶している遊技機の識別情報を抽出し、抽出した識別情報を遊技機貸出情報として生成し、前記遊技媒体貸出機は、当該遊技媒体貸出機の識別情報を記憶する第２の貸出機側識別情報記憶手段と、貸出媒介物の識別情報の受け付けに応じて上記第２の貸出機側識別情報記憶手段に記憶されている遊技媒体貸出機の識別情報を抽出し、抽出した当該遊技媒体貸出機の識別情報と上記受け付けた貸出媒介物の識別情報とを関連付けて上記遊技情報管理装置へ送る関連付け識別情報送信手段とを有し、前記貸出機貸出情報生成手段は、遊技媒体の貸出要求指示情報の受け付けに応じて上記第２の貸出機側識別情報記憶手段に記憶している遊技媒体貸出機の識別情報を抽出し、抽出した識別情報を貸出機貸出情報として生成することを特徴とする。
【００２５】
また、本発明の上記システムに用いられる第一の遊技機は、請求項１０に記載の通り、遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、上記遊技媒体貸出機から当該遊技媒体貸出機が受け付けた貸出媒介物の識別情報を受け付ける貸出媒介物識別情報受付手段と、当該遊技機の貸出要求スイッチより遊技媒体の貸し出しを要求する指示を受け付ける貸出要求指示受付手段と、遊技媒体の貸出要求指示の受け付けに応じて遊技媒体の貸出情報を生成する貸出情報生成手段と、上記遊技媒体の貸出情報を上記遊技情報管理装置へ送る貸出情報送信手段とを有することを特徴とする。
【００２６】
本発明の第二の遊技機は、請求項１１に記載の通り、上記第一の遊技機に加え、前記受け付けた貸出媒介物の識別情報を記憶する第１の識別情報記憶手段を更に有し、前記貸出情報生成手段は、遊技媒体の貸出要求指示の受け付けに応じて上記第１の識別情報記憶手段に記憶している貸出媒介物の識別情報を抽出し、抽出した識別情報を貸出情報として生成することを特徴とする。
【００２７】
本発明の第三の遊技機は、請求項１２に記載の通り、上記第一の遊技機に加え、当該遊技機の識別情報を記憶する第２の識別情報記憶手段と、前記貸出媒介物の識別情報の受け付けに応じて上記第２の識別情報記憶手段に記憶されている遊技機の識別情報を抽出し、抽出した当該遊技機の識別情報と上記受け付けた貸出媒介物の識別情報とを関連付けて上記遊技情報管理装置へ送る関連付け識別情報送信手段と、を更に有し、前記貸出情報生成手段は、遊技媒体の貸出要求指示の受け付けに応じて上記第２の識別情報記憶手段に記憶している遊技機の識別情報を抽出し、抽出した識別情報を貸出情報として生成することを特徴とする。
【００２８】
本発明の第四の遊技機は、請求項１３に記載の通り、遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、当該遊技機の貸出要求スイッチより遊技媒体の貸し出しを要求する指示を受け付ける貸出要求指示受付手段と、遊技媒体の貸出要求指示の受け付けに応じて遊技媒体の貸出要求指示情報を発生する貸出要求指示情報発生手段と、上記遊技媒体の貸出要求指示情報を上記遊技媒体貸出機へ送る貸出要求指示情報送信手段とを有することを特徴とする。
【００２９】
本発明の第五の遊技機は、請求項１４に記載の通り、上記第四の遊技機に加え、遊技媒体の貸し出しを媒介する貸出許可情報を記憶する貸出媒介物を受け付ける遊技媒体貸出機と情報の授受が可能に構成されると共に、遊技媒体の貸し出し可否を判別する遊技情報管理装置と一方的な情報の授受が可能に構成された装置であって、上記遊技媒体貸出機から当該遊技媒体貸出機が受け付けた貸出媒介物の識別情報を受け付ける貸出媒介物識別情報受付手段と、当該遊技機の貸出要求スイッチより遊技媒体の貸し出しを要求する指示を受け付ける貸出要求指示受付手段と、遊技媒体の貸出要求指示の受け付けに応じて遊技媒体の貸出情報を生成する遊技機貸出情報生成手段と、遊技媒体の貸出要求指示の受け付けに応じて遊技媒体の貸出要求指示情報を発生する貸出要求指示情報発生手段と、上記生遊技媒体の貸出情報を上記遊技情報管理装置へ送る貸出情報送信手段と、上記遊技媒体の貸出要求指示情報を上記遊技媒体貸出機へ送る貸出要求指示情報送信手段とを有することを特徴とする。
【００３０】
本発明の第一の遊技情報管理装置は、請求項１５に記載の通り、遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技機より送られた遊技媒体の貸出情報を受け付ける貸出情報受付手段と、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段と、貸し出し可否の判別の結果、貸出許可設定情報値が貸出済累積情報値と同値または小さく遊技媒体の貸し出しを拒否する場合に貸出拒否情報を出力する貸出拒否情報出力手段とを有することを特徴とする。
【００３１】
本発明の第二の遊技情報管理装置は、請求項１６に記載の通り、上記第一の遊技情報管理装置に加え、遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技媒体貸出機より送られた貸出媒介物の識別情報を受け付ける貸出媒介物識別情報受付手段と、上記遊技媒体貸出機より送られた遊技媒体の貸出情報を受け付ける貸出情報受付手段と、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する貸出許可情報演算手段貸し出し可否の判別の結果、貸出許可設定情報値が貸出済累積情報値と同値または小さく、遊技媒体の貸し出しを拒否する場合に貸出拒否情報を出力する貸出拒否情報出力手段とを有することを特徴とする。
【００３２】
本発明の第三の遊技情報管理装置は、請求項１７に記載の通り、遊技媒体を介して遊技を可能とする遊技機、及び遊技媒体の貸し出しを媒介する貸出許可情報を記憶する貸出媒介物を受け付けると共に上記遊技機と情報の授受が可能に構成されている遊技媒体貸出機と、それぞれ一方的な情報の授受が可能に構成された装置であって、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段と、上記遊技媒体貸出機より送られた貸出媒介物の識別情報を受け付ける貸出媒介物識別情報受付手段と、上記遊技機より送られた遊技媒体の遊技機貸出情報を受け付ける第１の貸出情報受付手段と、上記遊技媒体貸出機より送られた遊技媒体の貸出機貸出情報を受け付ける第２の貸出情報受付手段と、上記第１の貸出情報受付手段で受け付けた貸出情報に基づき、上記貸出管理情報記憶手段を参照して当該貸出媒介物に対して設定された貸出許可設定情報及び貸出済累積情報を抽出する第１の貸出情報抽出手段と、上記第２の貸出情報受付手段で受け付けた貸出情報に基づき、上記貸出管理情報記憶手段を参照して当該貸出媒介物に対して設定された貸出許可設定情報及び貸出済累積情報を抽出する第２の貸出情報抽出手段と、上記第１の貸出情報抽出手段及び第２の貸出情報抽出手段における貸出済累積情報同士が同値であるか否か比較し、遊技媒体の貸し出し可否を判別する第１の貸出判別手段と、上記第１の貸し出し可否の判別の結果、貸出済累積情報が同値であり、遊技媒体の貸し出しを許可する場合に、さらに上記第１の貸出情報抽出手段及び第２の貸出情報抽出手段において抽出した貸出許可設定情報と貸出済累積情報とを比較して遊技媒体の貸し出し可否を判別する第２の貸出判別手段と、貸し出し可否の判別の結果、貸出許可設定情報値が貸出済累積情報値より大きく、遊技媒体の貸し出しを許可する場合に上記貸出情報に応じて抽出した上記貸出媒介物の貸出許可情報を減算する貸出許可情報演算手段と、貸し出し可否の判別の結果、貸出許可設定情報値が貸出済累積情報値と同値または小さく遊技媒体の貸し出しを拒否する場合に貸出拒否情報を出力する貸出拒否情報出力手段とを有することを特徴とする。
【００３３】
また、本発明の第一の遊技機不正貸出管理方法、請求項１８に記載の通り、遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、上記遊技媒体貸出機が、上記貸出媒介物を受け付ける処理と、上記遊技媒体貸出機が、受け付けた上記貸出媒介物からその識別情報を読み込んで取得する処理と、上記遊技媒体貸出機が、取得した貸出媒介物の識別情報を上記遊技機へ送信する処理と、上記遊技機が、上記遊技媒体貸出機から送られた貸出媒介物の識別情報を受け付ける処理と、上記遊技機が、当該遊技機の貸出要求スイッチより遊技媒体の貸し出しを要求する指示を受け付ける処理と、上記遊技機が、受け付けた遊技媒体の貸出要求指示に応じて遊技媒体の貸出情報を生成する処理と、上記遊技機が、生成した遊技媒体の貸出情報を上記遊技情報管理装置へ送る処理と、上記遊技情報管理装置が、上記遊技機より送られた遊技媒体の貸出情報を受け付ける処理と、上記遊技情報管理装置が、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理と、上記遊技情報管理装置が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、遊技媒体の貸し出しを拒否する場合に貸出拒否情報を出力する処理とを行うことを特徴とする。
【００３４】
また、本発明の第二の遊技機不正貸出管理方法、請求項１９に記載の通り、遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、上記遊技媒体貸出機が、上記貸出媒介物を受け付ける処理と、上記遊技媒体貸出機が、受け付けた上記貸出媒介物からその識別情報を読み込んで取得する処理と、上記遊技媒体貸出機が、取得した貸出媒介物の識別情報を上記技情報管理装置へ送る処理と、上記遊技情報管理装置が、遊技媒体貸出機より送られた貸出媒介物の識別情報を受け付ける処理と、上記遊技機が、当該遊技機の貸出要求スイッチより遊技媒体の貸し出しを要求する指示を受け付ける処理と、上記遊技機が、受け付けた遊技媒体の貸出要求指示に応じて遊技媒体の貸出要求指示情報を発生する処理と、上記遊技機が、発生した貸出要求指示情報を上記遊技媒体貸出機へ送る処理と、上記遊技媒体貸出機が、上記遊技機から遊技媒体の貸出要求指示情報を受け付ける処理と、上記遊技媒体貸出機が、上記遊技媒体の貸出要求指示情報の受け付けに応じて遊技媒体の貸出情報を生成する処理と、上記遊技媒体貸出機が、生成した遊技媒体の貸出情報を上記遊技情報管理装置へ送る処理と、上記遊技情報管理装置が、遊技媒体貸出機より送られた遊技媒体の貸出情報を受け付ける処理と、上記遊技情報管理装置が、受け付けた貸出情報に基づき、上記貸出管理情報記憶手段を参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理と、上記遊技情報管理装置が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、貸出許可設定情報値が貸出済累積情報値と同値または小さく、遊技媒体の貸し出しを拒否する場合に貸出拒否情報を出力する処理とを行うことを特徴とする。
【００３５】
さらに、本発明の第三の遊技機不正貸出管理方法、請求項２０に記載の通り、遊技媒体を介して遊技を可能とする遊技機と、遊技媒体の貸し出しを媒介する貸出許可情報を記憶する貸出媒介物と、上記貸出媒介物を受け付けると共に上記遊技機と情報の授受が可能に構成されている遊技媒体貸出機と、上記遊技機での遊技を可能とする遊技媒体の貸し出しを許可する貸出媒介物の識別情報と関連付けて当該貸出媒介物に対して設定された貸出許可設定情報及び貸出済累積情報を記憶する貸出管理情報記憶手段を有し、上記遊技機及び上記遊技媒体貸出機とそれぞれ一方的な情報の授受が可能に構成されている遊技情報管理装置とにより実行される方法であって、上記遊技媒体貸出機が、上記貸出媒介物を受け付ける処理と、上記遊技媒体貸出機が、受け付けた上記貸出媒介物からその識別情報を読み込んで取得する処理と、上記遊技媒体貸出機が、取得した貸出媒介物の識別情報を上記技情報管理装置へ送る処理と、上記遊技媒体貸出機が、取得した貸出媒介物の識別情報を上記遊技機へ送信する処理と、上記遊技機が、上記遊技媒体貸出機から送られた貸出媒介物の識別情報を受け付ける処理と、上記遊技機が、当該遊技機の貸出要求スイッチより遊技媒体の貸し出しを要求する指示を受け付ける処理と、上記遊技機が、受け付けた遊技媒体の貸出要求指示に応じて遊技媒体の貸出情報を生成する処理と、上記遊技機が、受け付けた遊技媒体の貸出要求指示に応じて遊技媒体の貸出要求指示情報を発生する処理と、上記遊技機が、生成した貸出情報を上記遊技情報管理装置へ送る処理と、上記遊技機が、発生した貸出要求指示情報を上記遊技媒体貸出機へ送る処理と、上記遊技媒体貸出機が、上記遊技機から遊技媒体の貸出要求指示情報を受け付ける処理と、上記遊技媒体貸出機が、上記遊技機より送られた遊技媒体の遊技機貸出情報を受け付ける処理と、上記遊技媒体貸出機が、上記遊技媒体貸出機より送られた遊技媒体の貸出機貸出情報を受け付ける処理と、上記遊技媒体貸出機が、上記受け付けた遊技機貸出情報に基づき、上記貸出管理情報記憶手段を参照して当該貸出媒介物に対して設定された貸出許可設定情報及び貸出済累積情報を抽出する処理と、上記遊技媒体貸出機が、上記受け付けた貸出機貸出情報に基づき、上記貸出管理情報記憶手段を参照して当該貸出媒介物に対して設定された貸出許可設定情報及び貸出済累積情報を抽出する処理と、上記遊技媒体貸出機が、上記抽出した貸出済累積情報同士が同値であるか否か比較し、遊技媒体の貸し出し可否を判別する処理と、上記遊技媒体貸出機が、上記貸し出し可否の判別の結果、貸出済累積情報が同値であり、遊技媒体の貸し出しを許可する場合に、さらに上記抽出した貸出許可設定情報と貸出済累積情報とを比較して遊技媒体の貸し出し可否を判別する処理と、上記遊技媒体貸出機が、貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算し、一方、貸出許可設定情報値が貸出済累積情報値と同値または小さく遊技媒体の貸し出しを拒否する場合に貸出拒否情報を出力する処理とを行うことを特徴とする。
【発明の効果】
【００３６】
以上本発明によれば、遊技媒体の貸し出しを媒介する貸出許可情報（度数）が予め記憶されたプリペイドカードなどの貸出媒介物に識別情報を付与すると共に、所定の場所に設置された遊技情報管理装置にてこの貸出媒介物識別情報に基づき当該貸出媒介物に対して設定された貸出許可設定情報及び貸出済累積情報を管理し、遊技媒体の貸し出し可否を判別するようにしたことで、パチンコ玉や遊技メダルといった遊技媒体を貸し出す遊技媒体貸出機を装備した遊技機において、予め貸出媒介物に対して設定された貸出許可設定情報以上に遊技媒体が貸し出される不正な貸出行為を制御し得るようにすることが出来る。
【００３７】
この際、遊技媒体の貸し出し要求に利用されている貸出媒介物の識別情報を遊技機側より遊技情報管理装置へ送るようにすると、遊技機に設けられた貸出要求スイッチの操作による遊技媒体の貸し出し要求の指示がある毎に貸出情報が確実に生成し、遊技情報管理装置へ送ることが出来、貸し出し要求指示毎に効率良く不正な貸出行為を監視することが出来る。
一方、遊技媒体の貸し出し要求に利用されている貸出媒介物の識別情報を遊技媒体貸出機側より遊技情報管理装置へ送るようにすると、貸出媒介物の識別情報に基づきいち早く当該貸出媒介物による遊技媒体の貸し出し要求行為が不正であるか否か監視することが出来る。
さらに、遊技媒体の貸し出しを要求する貸出情報を遊技機側及び遊技媒体貸出機側の双方にて生成すると、より一層確実に不正な貸出行為を監視することが出来る。
【００３８】
また、貸出媒介物識別情報と共にもしくは貸出媒介物識別情報に換えて遊技機または遊技媒体貸出機の識別情報に基づき貸出許可情報を管理するようにすると、どの遊技機または遊技媒体貸出機が不正な貸出行為をされているのか直ぐに判り、遊技の強制中断や貸出媒介物の強制回収、不正貸出行為警告等がし易くなる。
【発明を実施するための最良の形態】
【００３９】
以下、本発明の実施形態として、遊技場等に設置される遊技機としてスロットマシンを用いた場合について、図１乃至図４を参照して説明する。なお、図１は本スロットマシン１００の外部構造を示した平面図、図２はカード表示部３０の構成を示す部分拡大斜視図、図３は本スロットマシン１００の内部構造を示した全体斜視図、図４は本スロットマシン１０に設けられている制御システムの構成を示したブロック図である。
【００４０】
図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。
【００４１】
上部パネル部は１０３には、上部ランプと呼ばれる演出用ランプ１０３ａと、スピーカが取り付けられた放音部１０３ｂ、１０３ｃと、液晶ディスプレイ等で形成された演出表示装置１０３ｄとが設けられている。
【００４２】
中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００４３】
更に、中部パネル部１０４の下端には遊技者が操作するための操作部１０４ｃが設けられ、当該操作部１０４ｃには、遊技メダルを投入するためのメダル投入部ＭＤと、１ゲーム当たりのメダル数を提示するためのベッドボタンＢ１，マックスベッドボタンＢ２と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。マックスベッドボタンＢ２の近傍には、投入枚数表示部ＡＡが設けられ、上下方向に等間隔で並んだ３つのＬＥＤにより構成されている。投入枚数表示部ＡＡは、投入枚数１枚毎に、ＬＥＤが１つ点灯する構成となっている。
【００４４】
また、透過窓ＷＤの下側には、入賞により加算される獲得度数を表示する獲得度数表示部３２と、クレジットの残度数を表示するクレジット表示部３１が設けられている。また、図２に示されているように、メダル投入部ＭＤとマックスベッドボタンＢ２の間には、カード表示部３０が設けられており、このカード表示部３０は、貸出可能度数表示部３３と、貸出ボタン３４と、返却ボタン３５と、貸出可状態表示部３６とが設けられている。
【００４５】
この実施形態では、規定投入枚数（３枚）が、投入され、投入枚数表示部ＡＡの３つのＬＥＤが全て点灯されている状態で、スタートレバーＳＴの操作により、ゲームが開始される。規定投入枚数の投入は、メダル投入部ＭＤからのメダル投入の他、ベットボタンＢ１を押し下げることにより行うことができる。ベットボタンＢ１の１回の操作で、１度数が、貯留装置より投入され、クレジット表示部３１の表示が１つ減算される。また、マックスベットボタンＢ２を押し下げることにより、規定投入枚数（３枚）が一時に投入され、クレジット表示部３１から、投入された枚数に相当する度数が減算される。規定投入枚数の一部が既に投入されている場合には、マックスベットボタンＢ２の押し下げにより、
不足分が投入される。
【００４６】
貯留装置には、貯留可能な上限の枚数が決められており、この実施形態では、５０枚に決められている。この枚数を越えてメダル投入部ＭＤから投入されたメダルは、後述の排出口１０５ａから返却される。貯留装置に貯留されている枚数は、クレジット表示部３１に表示される。
【００４７】
下部パネル部１０５には、本スロットマシン１００のゲーム内容に関連した画象等（図示略）が描かれており、遊技者の取得したメダルを払い出すための排出口１０５ａ及び受皿１０５ｂと、スピーカが取り付けられた放音部１０５ｃが設けられている。
【００４８】
次に、図３を参照して、フロントドア１０１の裏面構造と、筐体１０２の内部構造を概説する。なお、図３はフロントドア１０１を開錠して筐体１０２から開いた状態を表している。同図において、フロントドア１０１の裏面上部に、上述の放音部１０３ｂ，１０３ｃを構成するスピーカＳＲ，ＳＬ（図示しない）が設けられると共に、演出表示装置１０３ｂの裏面側にサブ制御基板３００が取り付けられている。
【００４９】
演出表示装置１０３ｂ及びサブ制御基板３００の下方には、上述の透過窓ＷＤと中部パネル部１０４のパネル面とが形成された略長方形の枠体１０４ｂが取り付けられている。枠体１０４ｄの下方には、メダル投入部ＭＤより投入される投入物を正規の遊技メダルか異物か判別して振り分ける振分機構Ｇ０で振分けられた遊技メダルを筐体１０２側に設けられているホッパ装置ＨＰへ案内するガイド部材ＧＩと、振分機構Ｇ０で振分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００５０】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。
【００５１】
筐体１０２内には、主電源装置ＰＷＵと、ホッパ装置ＨＰから溢れた遊技メダルを収容するための補助貯留部ＳＨＰと、状述の透過窓ＷＤに対向する回胴リールＲ１，Ｒ２，Ｒ３を備えた回胴リール装置２００の上端に回胴装置基板６００、回胴リール装置２００の上方に主制御基板７００、筐体１０２の内壁の一端に外部集中端子装置としての外部集中基板８００が夫々取り付けられている。
【００５２】
上述の主制御基板７００と、サブ制御基板３００、回胴装置基板６００、中央表示基板４００、電源装置基板５００及び外部集中端子基板８００は、何れも導電性配線パターンの形成された絶緑性樹脂基板上に集積回路装置（ＩＣ）やトランジスタ、抵抗、コンデンサ等の電子部品が搭載されて配線接続されたいわゆる電気回路基板として形成され、特に、主制御基板７００とサブ制御基板３００と外部集中端子基板８００は、夫々硬質プラスチックの収納ケース内に個別に収納されたユニット構造となっている。
【００５３】
主制御基板７００は、各信号の入出力を総括し、モニタを有しているものである。また、サブ制御基板３００は、演出用の画像、ランプ、蛍光灯、及び効果音を制御し、スピーカから出力する効果音の音量を切り換えるための音量スイッチを有している。
【００５４】
遊技媒体貸出機としてのプリペイドカードユニット（以下、単に「カードユニット」と称する。）２は、スロットマシン１００の側面に併設されている。カードユニット２は、薄型の筐体２０と、その正面に設けられた上部蓋２１、下部蓋２２を有し、これらの蓋は、施錠可能に構成されている。
上部蓋２１には、紙幣を受け付ける紙幣受付口２１１が、下部蓋２２には貸出媒介物としてパッキーカードやパニーカードなどＣＲ機を打つときに必要なプリペイドカード（以下、単に「カード」と称する。）を搬入出するためのカード出入口２２１が、それぞれ形成されている。さらに、下部蓋２２には、カード挿入スイッチ２２２や、遊技者に機械の状態を報知するための複数個の表示ランプ２２３〜２２６などが設けられる。
【００５５】
前記紙幣受付口２１１は紙幣の返却口を兼ねる。またカード出入口２２１には、これを覆う透明のカバー体２２７が開閉可能に配備される。前記表示ランプ２２３〜２２６のうち、下部蓋２２の上部に設けられた表示ランプ２２３は、カード挿入中に点灯して、機械内部でカードの処理が行われていることを示す。また中央部の表示ランプ２２４は、遊技場内の通信回線が切断されるなどしてカードユニット２がオフライン状態になっていることを示し、表示ランプ２２５は、カード切れ状態であることを示す。さらに表示ランプ２２６は、カード出入口２２１にカードが搬出されたときに点灯して、遊技者にカードの抜き取りを促すためのものである。
【００５６】
この実施形態のカードユニット２は、千円札等の紙幣の投入を受け付けてその投入金額分の度数が記録されたカードを発行するとともに、前記カードを受け付けて隣接するスロットマシン１００にメダルの貸出処理を要求する信号（貸出要求信号）を出力するもので、前記貨幣受付口２１１に対応する位置には紙幣処理ユニット（図示せず。）が、カード出入口２２１に対応する位置には、カード処理ユニット（図示せず。）が、それぞれ配備される。
【００５７】
前記カード処理ユニットは、内部に初期化状態のカードを１枚だけ収容できるカード収容部（図示せず。）を具備し、この収容カードに金額価値などの情報を書き込んでカード出入口２２１に発行するとともに、発行後のカードを受け付けてメダル貸出のための情報の読書きを行っている。なお、前記カード挿入スイッチ２２２は、発行後のカードをすぐに機体内に投入する際に操作される。
【００５８】
メダルの貸出処理によりカードの残度数がゼロとなったとき、前記カード収容部が空状態であれば、この使用済みのカードは、初期化された後、カード収容部に取り込まれてストックされる。したがって、発行されたカードが抜き取られない限り、同じ１枚のカードが繰り返し使用される。ただしこの実施形態のカードユニット２は、カード収容部にカードがストックされている状態下で他の装置で発行されたカードを受け付けることも可能である。この場合、メダル貸出処理後に受け付けたカードの残度数がゼロとなると、そのカードはカード出入口２２１に搬出され、遊技者に返却される。カード収容部に収容されたカードに記録されている金額情報に基づき、貸出可能な枚数が演算され、その数値は、貸出可能度数表示部３３に表示される。
【００５９】
カードユニット２側でカードを受け付けた後に、遊技者のメダル貸出ボタン３４の押し下げにより、隣接するスロットマシン１００に、所定枚数のメダルの貸出を行うようにしている。この処理に対応して、スロットマシン１００側においては、メダル貸出処理として、電子データとしてメダル数を度数として貯留装置に貯留する処理（以下、「クレジット処理」という。）が行われる。また、返却ボタン３５の押し下げによって、前記メダル払出機ＭＰを駆動して貸出し数分のメダルをメダル払出口１０５ａより払い出す処理（以下、「メダル払出処理」という。）が実行される。
【００６０】
更に、図４のブロック図を参照して制御システムの構成を述べると、主基板７００は、スロットマシン１００の動作全体を管理するシステムプログラム及びスロットマシンゲーム用の実行プログラムが予め記憶されている半導体メモリ等で形成された記憶部と、これらのプログラムを実行するマイクロプロセッサ（ＭＰＵ）とを有し、上述のマイクロプロセッサに設けられている入力ポート及び出力ポートと残余の基板３００，６００，４００，５００，８００との間が配線ケーブル（ハーネス）によって配線接続されている。
【００６１】
更に又、演出用スピーカＳＲ，ＳＷと演出用ランプ１０３ａと演出表示装置１０３ｄが配線ケーブルを介してサブ基盤３００に配線接続され、主基板７００中の上記マイクロプロセッサから供給される演出制御信号に従って、サブ基板３００に設けられている電気回路がこれら演出用スピーカＳＲ，ＳＷと演出用ランプ１０３ａと演出表示装置１０３ｄを駆動することにより、遊技者の視覚と聴覚に訴える演出を行う。
【００６２】
また、回胴装置基板６００は、図柄を回転させるための装置である各回胴を回転または停止させるために、主制御基板７００と各回胴の回胴ステッピングモータ、及び回転中の回胴の基準位置を検知するための回胴センサとの間を中継していると共に、主制御基板７００と外部集中端子基板８００との間を中継しているものである。したがって、この回胴装置基板６００には、電動モータによって回転駆動される回胴リールＲ１，Ｒ２，Ｒ３を備えた回胴リール装置２００が配線接続されており、主基板７００中の上記マイクロプロセッサから供給されるリール制御信号によって、上述の電動モータを制御することにより、回胴リールＲ１，Ｒ２，Ｒ３の回転と制動及び停止の制御を行う。
【００６３】
中央表示基板４００は、再遊技表示部ＡＤ、投入表示部ＡＣ、打止表示部ＡＥ、獲得枚数表示部、状態表示部、クレジット表示部３１、投入枚数表示部ＡＡ、遊技開始表示部、設定ボタンＡＴを有すると共に、主制御基板７００と精算ボタンＡＴ、ベットボタンボタン（メダル１枚投入ボタン）Ｂ１、マックスベットボタン（メダル３枚投入ボタン）Ｂ２、メダル３枚投入表示部ＡＶ、エラー解除センサ、ブロッカ、メダル投入センサ、停止ボタンユニット、回胴回転始動装置センサ、及び２灯インバータユニットとの間を中継しているものである。
【００６４】
この再遊技表示部ＡＤは、再遊技の動作を表示するものである。また、投入表示部ＡＣは、遊技メダルの投入受付可能を表示するものである。また、打止表示部ＡＥは、役物連続作動装置作動終了後の打ち止め時を表示するものである。また、獲得枚数表示部は、図柄入賞判定後の獲得枚数に応じた遊技メダル枚数を表示すると共に、遊技メダル投入から全回胴回転停止までの間、また役物連続作動装置作動終了となる遊技の終了から次回の遊技メダル投入までの間、及び遊技機の当り率の設定値、設定値の確定、エラーコードを表示するものである。
【００６５】
また、状態表示部は、役物連続作動装置の作動を表示するものである。また、クレジット表示部３１は、メダル貯留装置に貯留されている遊技メダルの枚数を表示するものである。また、投入枚数表示部ＡＡは、投入された遊技メダル枚数を表示するものである。また、遊技開始表示部は、規定枚数の遊技メダルが投入され、回胴回転開始装置の操作受付可能を表示するものである。
【００６６】
また、精算ボタンＡＴは、投入された遊技メダルの払い戻し、及びメダル貯留装置に貯留されている遊技メダルを精算するときに使用するものである。また、ベットボタンＢ１は、貯留されている遊技メダルを1枚ずつ投入するときに使用するものである。また、マックスベットボタンＢ２は、貯留されている遊技メダル枚数及び規定枚数を超えない範囲で、貯留されている遊技メダルを最大３枚投入するときに使用するものである。また、メダル３枚投入表示部ＡＶは、貯留されている遊技メダル枚数及び規定枚数を超えない範囲で、貯留されている遊技メダルが最大３枚投入可能を表示するものである。また、ブロッカは、遊技状態に応じ遊技メダルを返却するためのものである。また、メダル投入センサは、遊技メダルの投入を検知するためのものである。また、停止ボタンユニットは、回胴の回転を停止させるときに使用する停止ボタンの操作を検知するため、及び停止ボタン表示部を表示するためのものである。また、回胴回転始動装置センサは、回胴の回転及び段階設定の確定を行うときに使用する回胴回転始動装置の操作を検知するためのものである。
【００６７】
この中央表示基板４００には、振分機構Ｇ０、ベットボタンＢ１マックスベッドボタンＢ２，スターレバーＳＴ，ストップボタンＳＰ１，ＳＰ２，ＳＰ３、設定表示素子ＣＴ、及び設定ボタンＣＳが配線接続されており、振分機構Ｇ０から出力されるＣＴ、及び設定ボタンＣＳが配線接続されており、振分機構Ｇ０から出力されるメダル検出信号と、ベットボタンＢ１，マックスベッドボタンＢ２，とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００６８】
電源装置基板５００は、各部へ電源を供給すると共に、主制御基板７００とメダル払出装置、電源モニタ基板、電源スイッチ、及び遊技メダル補助収納庫満杯検知電極との間を中継するものである。このメダル払出装置は、入賞、メダル貯留装置の精算、または投入された遊技メダルの払い戻しにより遊技メダルを排出するためのものである。なお、払い戻しにより払い出された遊技メダルは払出センサにより検知される。また、電源モニタ基板は、自動精算スイッチ、打ち止めスイッチ、各ヒューズを有すると共に、電源装置基板５００と設定キースイッチ、及びリセットボタンとの間を中継しているものである。自動精算スイッチは、役物連続作動装置の作動終了後に、自動精算ありにするか、または自動精算無しにするかを設定するためのものである。打ち止めスイッチは、役物連続作動装置の作動終了後に、打ち止め有りにするか、または打ち止め無しにするかを設定するためのものである。また、設定キースイッチは、遊技機の入賞当り率の段階設定及び確認を行うためのものである。また、リセットボタンは、打ち止めまたはエラーの解除を行うものである。また、電源スイッチは、主電源のＯＮ．ＯＦＦを行うためのものである。また、遊技メダル補助収納庫満杯検知電極は、メダル払出装置の貯蔵容量を超えた遊技メダルを収納するための遊技メダル補助収納庫の満杯状態を検知するための電極である。
【００６９】
この電源装置基板５００には、設定スイッチＢＯ、電源スイッチＢＱ、ホッパ装置ＨＰ，電源装置ＰＷＵが配線接続され、設定スイッチＢＯと電源スイッチＢＱから夫々出力されるオンオフ信号を主基板７００中の上記マイクロプロセッサへ転送する。更に、電源装置基板５００には、電源装置ＰＷＵで発生される各種電源電圧をホッパ装置ＨＰその他各所に配電する配電回路が形成されており、かかる配線回路からスロットマシン１００の動作に必要な電源供給が行われている。
【００７０】
外部集中端子基板８００は、主基板７００中に上記マイクロプロセッサから出力される信号Ｓ１〜Ｓ６を並列入力することが可能な複数個の入力端子Ｐ１〜Ｐ６と、該当信号Ｓ１〜Ｓ６を管理用電子装置としてのホールコンピュータ側へ並列転送することが可能な複数個の出力端子Ｑ１〜Ｑ６とを備える他、ホールコンピュータ側から供給される信号ＩＮを入力する入力端子Ｐ７及び上記マイクロプロセッサへ転送する出力端子Ｑ７を備えて構成されている。
【００７１】
すなわち、上述の出力端子Ｑ１〜Ｑ６および入力端子Ｐ１と、ホールコンピュータに設けられている入出力インターフェースとの間を例えばフラットケーブル等の配線ケーブルで接続することによって、主基板７００からホールコンピュータ側へ信号Ｓ１〜Ｓ６を転送し、また、ホールコンピュータから主基板７００側へ信号ＩＮを転送することが可能となっている。
【００７２】
なお、信号Ｓ１は、メダル投入部ＭＤからホッパ装置ＨＰへ遊技メダルが枚投入される毎に出力される「遊技メダル投入信号」、信号Ｓ２は、ホッパ装置ＨＰから排出口１０５ａへ遊技メダルが１枚払い出されるごとに出力される「遊技メダル払出信号」、信号Ｓ３は、レギュラーボーナス（ＲＢ）と呼ばれる特別役に入賞したときに出力される「役物連続作動装置本当たり信号」、信号Ｓ４は、ビックボーナス（ＢＢ）と呼ばれるレギュラーボーナス（ＲＢ）よりも大きな特別役に入賞したときに出力される「役物連続作動増加装置本当たり信号」、信号Ｓ５は、いわゆる出玉率の設定操作がなされたことを示す、「設定操作信号」である。
【００７３】
次に、本発明の遊技媒体の遊技機不正貸出管理システムの構成の一例について、図５及び図６に基づき説明する。図５は、本発明の実施の形態に係る第一の遊技機不正貸出管理システムの構成及び情報の流れを概略的に説明するブロック図である。また、図６は、本発明の実施の形態に係る遊技機不正貸出管理システムを構成する各装置の構成を概略的に説明するブロック図である。
【００７４】
まず、本発明の第一の遊技機不正貸出管理システムは、図５に示すように、遊技機１００Ａに隣接配置された遊技媒体貸出機２Ａに、遊技媒体との交換を媒介する遊技媒体の貸出許容度数が予め記憶された貸出媒介物Ｃを挿入し、遊技機１００Ａに設けられた遊技媒体の貸出要求スイッチを操作して遊技媒体の貸し出しを要求する指示によって、遊技媒体の貸し出しが行われる遊技媒体の貸出システムを基本とするものであって、遊技機として上述した構成のスロットマシン１００Ａと、遊技媒体貸出機として上述した構成のカードユニット２Ａと、このスロットマシン１００Ａと接続された遊技媒体管理装置１０Ａとにより構成される。
【００７５】
そして、スロットマシン１００Ａとカードユニット２Ａとは、遊技媒体貸出機接続端子板としての中継基板５０を介して接続される。
【００７６】
また、本発明では、カードユニット２Ａは、貸出媒介物に予め記憶された貸出許容度数に基づき貸し出されたメダルの貸し出し状況を示す遊技媒体貸出情報を出力する手段を有する。また、スロットマシン１００Ａは、カードユニット２Ａと情報の授受が可能に構成され、上記貸出媒介物Ｃにおける貸出許容度数に基づく貸出要求として払い出されたメダルの払い出し状況を示す遊技媒体払出情報を出力する手段を有する。
【００７７】
図５に示すように、中継基板５０は、カードユニット２Ａと一方的な情報の授受を行う第一コネクタ５１と、中央表示基板４００と一方的な情報の授受を行う第ニコネクタ５２と、主制御基板７００と一方的な情報の授受を行う第三コネクタ５３と、電源装置基板５００と一方的な情報の授受を行う第ニコネクタ５４を有する。
【００７８】
第一コネクタ５１は、遊技機１００と中継基板５０との接続確認を通知する遊技機接続確認情報をカードユニット２へ供給する。また、第一コネクタ５１は、カードユニット２Ａからの遊技媒体貸出機の準備完了を通知する遊技媒体貸出機ＲＥＡＤＹ情報、遊技媒体貸出要求の確認を通知する遊技媒体貸出要求確認情報を受けると共に、カードユニット２Ａからの遊技媒体の貸出可能を通知する遊技媒体貸出可情報、貸出媒介物に予め記憶された貸出可能な残高度数の表示を通知する残高度数表示情報を受ける。
【００７９】
また、第一コネクタ５１は、主制御基板７００からの遊技機の準備完了を通知する遊技機ＲＥＡＤＹ情報、遊技機の貸出完了を通知する遊技機貸出完了情報をカードユニット２Ａへ送ると共に、中央表示基板４００からの遊技媒体貸出ボタンが操作されたことを通知する遊技媒体貸出ボタン操作情報、返却ボタンが操作されたことを通知する返却ボタン操作情報をカードユニット２Ａへ送る。さらに、第一コネクタ５１は、電源装置基板５００からの電源をカードユニット２へ送る。
【００８０】
また、第二コネクタ５２は、カードユニット２Ａからの遊技媒体の貸出可能を通知する遊技媒体貸出可情報、貸出媒介物に予め記憶された貸出可能な残高度数の表示を通知する残高度数表示情報を中央表示基板４００へ送ると共に、中央表示基板４００からの遊技媒体貸出ボタンが操作されたことを通知する遊技媒体貸出ボタン操作情報、返却ボタンが操作されたことを通知する返却ボタン操作情報を受ける。
【００８１】
また、第三コネクタ５３は、カードユニット２Ａからの遊技媒体貸出機の準備完了を通知する遊技媒体貸出機ＲＥＡＤＹ情報、遊技媒体貸出要求の確認を通知する遊技媒体貸出要求確認情報を主制御基板７００へ送ると共に、主制御基板７００からの遊技機の準備完了を通知する遊技機ＲＥＡＤＹ情報、遊技機の貸出完了を通知する遊技機貸出完了情報を受ける。
【００８２】
さらに、第三コネクタ５４は、電源装置基板５００からの電源を受ける。
したがって、カードユニット２Ａと遊技機１００とは、上述したように中継基板５０を介して一方的な情報の授受が行われている。
【００８３】
また、図６に示すように、貸出媒介物としてのプリペイドカードＣは、貸出許可情報記憶部Ｃ１と、識別情報記憶部Ｃ２を有する。
貸出許可情報記憶部Ｃ１は、遊技媒体の貸し出しを媒介する情報を記憶する記憶部であって、この貸出許可情報を、例えば度数として示している。
識別情報記憶部Ｃ２は、個々のプリペイドカードＣを特定するために付与された固有の文字、数字などからなる情報としての識別情報を記憶する記憶部である。
【００８４】
また、遊技媒体貸出機としてのカードユニット２Ａは、貸出媒介物識別情報取得部２１２と、貸出媒介物識別情報送信部２１３を有する。
貸出媒介物識別情報取得部２１２は、貸出媒介物Ｃの受け付けに応じて当該貸出媒介物からその識別情報を読み込んで取得する処理を行う。
貸出媒介物識別情報送信部２１３は、取得した貸出媒介物の識別情報を遊技機１００Ａへ送信する処理を行う。
【００８５】
また、遊技機としてのスロットマシン１００Ａは、貸出媒介物識別情報受付部１１１と、貸出要求指示受付部１１２と、貸出情報生成部１１３と、貸出媒介物識別情報記憶部１１４と、遊技機識別情報記憶部１１５と、貸出情報送信部１１６と、関連付け識別情報送信部１１７とを有する。
【００８６】
貸出媒介物識別情報受付部１１１は、遊技媒体貸出機から当該遊技媒体貸出機が受け付けた貸出媒介物の識別情報を受け付ける処理を行う。
貸出要求指示受付部１１２は、遊技機の貸出要求スイッチより遊技媒体の貸し出しを要求する指示を受け付ける処理を行う。
【００８７】
貸出情報生成部１１３は、遊技媒体の貸出要求指示の受け付けに応じて遊技媒体の貸出情報を生成する処理を行う。
貸出情報の生成は、例えば、遊技媒体の貸出要求指示の受け付けに応じて後述する貸出媒介物識別情報記憶部１１４に記憶している貸出媒介物の識別情報を抽出し、抽出した貸出媒介物の識別情報を貸出情報として生成することが出来る。
また、貸出情報の生成は、遊技媒体の貸出要求指示の受け付けに応じて後述する遊技機識別情報記憶部１１５に記憶している遊技機の識別情報を抽出し、抽出した識別情報を貸出情報として生成することも出来る。
【００８８】
貸出媒介物識別情報記憶部１１４は、受け付けた貸出媒介物の識別情報を記憶する記憶部である。
遊技機識別情報記憶部１１５は、遊技機の識別情報を記憶する記憶部である。
貸出情報送信部１１６は、遊技媒体の貸出情報を遊技情報管理装置へ送る処理を行う。
【００８９】
関連付け識別情報送信部１１７は、貸出媒介物の識別情報の受け付けに応じて上記遊技機識別情報記憶部１１５に記憶されている遊技機の識別情報を抽出し、抽出した当該遊技機の識別情報と上記受け付けた貸出媒介物の識別情報とを関連付けて上記遊技情報管理装置へ送る処理を行う。
【００９０】
また、遊技情報管理装置１０Ａは、遊技場であるホールに設置された各スロットマシン１００Ａに接続して設けられた装置であって、図６に示すように、貸出情報受付部１２Ａと、貸出管理情報記憶部１３Ａと、貸出判別部１４Ａと、貸出許可情報演算部１５Ａと、貸出拒否情報出力部１６Ａとを有する。
【００９１】
貸出情報受付部１２Ａは、遊技機より送られた遊技媒体の貸出情報を受け付ける処理を行う。
【００９２】
貸出管理情報記憶部１３Ａは、遊技機での遊技を可能とする遊技媒体の貸し出しを許可する貸出媒介物の識別情報と関連付けて当該貸出媒介物に対して設定された貸出許可設定情報及び貸出済累積情報を記憶する記憶部である。
この貸出媒介物の識別情報と貸出許可設定情報及び貸出済累積情報との関連付けを示すものとしては、たとえば図１０に示すような貸出管理情報データベースが考えられる。この貸出管理情報には、貸出媒介物の識別情報（プリペイドカードＩＤ）、貸出許可設定情報（使用可能な度数）、貸出済累積情報（既に使用した度数）が記憶できるようになっている。これにより、貸出媒介物の識別情報が分かれば、当該貸出媒介物が遊技媒体の貸し出しを可能とする貸出許可情報を求めることが可能な貸出許可設定情報及び貸出済累積情報が特定できる。
したがって、図１０に示す貸出管理情報データベースに示す貸出媒介物識別情報の場合、ＡＡ００００１は貸出許可設定情報が５０度、貸出済累積情報が２０度であり、残り３０度分使用可能であるので遊技媒体の貸出が許可され、ＡＡ００００２は貸出許可設定情報が５０度、貸出済累積情報が５０度であり、残度数が０度であるので遊技媒体の貸出が拒否され、ＡＡ００００３は貸出許可設定情報が５０度、貸出済累積情報が４０度であり、残り１０度分使用可能であるので遊技媒体の貸出が許可されるものとなる
【００９３】
また、この貸出管理情報データベースに、貸出媒介物の識別情報（プリペイドカードＩＤ）と関連付けて遊技機識別情報（スロットマシンＩＤ）や貸出機識別情報（カードユニットＩＤ）を記憶しても良い。これにより、遊技媒体の貸し出しを要求する指示を受け付ける遊技機の遊技機識別情報や遊技媒体貸出機の貸出機識別情報からでも、当該貸出媒介物が遊技媒体の貸し出しを可能とする貸出許可情報を求めることが可能な貸出許可設定情報及び貸出済累積情報を特定することができる。
【００９４】
貸出判別部１４Ａは、受け付けた貸出情報に基づき、上記貸出管理情報記憶部１３Ａを参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理を行う。
【００９５】
貸出許可情報演算部１５Ａは、上記貸出判別部１４Ａでの貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する処理を行う。
【００９６】
貸出拒否情報出力部１６Ａは、上記貸出判別部１４Ａでの貸し出し可否の判別の結果、貸出許可設定情報値が貸出済累積情報値と同値または小さく遊技媒体の貸し出しを拒否する場合に貸出拒否情報を出力する処理を行う。
ここで、貸出拒否情報とは、例えばその情報をサブ制御基板３００へ送り、サブ制御基板３００により、スロットマシン１００を異常発光させたり、異常発鳴させたり、異常表示させたり、などを行うようにする指示情報いう。
【００９７】
次に、以上のような構成とした遊技媒体の遊技機不正貸出管理システムにより、カードユニット２側にて遊技媒体の不正な貸出行為を検知する手順を、図７から９に基づき説明する。図７は、遊技媒体貸出機２Ａでの手順を示すフローチャートである。また、図８は、遊技機１００Ａでの手順を示すフローチャートである。また、図９は、遊技情報管理装置１０Ａでの手順を示すフローチャートである。
【００９８】
まず、遊技媒体の不正な貸出行為を判別する場合の遊技媒体貸出機２Ａでの手順は、図７に示すように、カード出入口２２１より貸出媒介物Ｃを受け付けたか否かを判定する（Ｓ１０１）。その結果、貸出媒介物を受け付けた場合（Ｙ）には、次に、その貸出媒介物に記憶されている識別情報を読み取る。一方、貸出媒介物を受け付けていない場合（Ｎ）は、再度貸出媒介物を受け付けたか否か判定を繰り返す（Ｓ１０１）。そして、遊技媒体貸出機２Ａは、読み取った識別情報を遊技機１００Ａへ送信する（Ｓ１０３）。その後、遊技媒体貸出機２Ａは、カード出入口２２１より貸出媒介物Ｃが抜き取られたか否かを判定する。その結果、貸出媒介物Ｃが抜き取られた場合（Ｙ）は、これにより遊技媒体貸出機２Ａでの一連の不正貸出管理処理が終了（エンド）する。
【００９９】
また、遊技機１００Ａでの手順は、図８に示すように、遊技媒体貸出機２Ａより貸出媒介物Ｃの識別情報を受け付けたか否かを判定する（Ｓ１１１）。その結果、識別情報を受け付けた場合（Ｙ）には、次に、その識別情報を貸出媒介物識別情報記憶部１１４に記憶する（Ｓ１１２）。一方、識別情報を受け付けていない場合（Ｎ）は、再度貸出媒介物Ｃの識別情報を受け付けたか否か判定を繰り返す（Ｓ１１１）。
【０１００】
次いで、遊技機１００Ａでは、当該遊技機の貸出要求スイッチを押圧操作することにより、遊技媒体の貸し出しを要求する指示を受け付けたか否かを判定する（Ｓ１１３）。その結果、遊技媒体の貸出要求指示を受け付けた場合（Ｙ）は、次にこの貸出要求指示の受け付けに応じて遊技媒体の貸出情報を生成する（Ｓ１１４）。一方、遊技媒体の貸出要求指示を受け付けない場合（Ｎ）は、再度遊技媒体の貸し出しを要求する指示を受け付けたか否か判定を繰り返す（Ｓ１１３）。貸出情報は、遊技媒体の貸出要求指示の受け付けに応じて遊技機識別情報記憶部１１５に記憶している遊技機の識別情報を抽出し、抽出した識別情報を貸出情報として生成するようにしても良い。
そして、生成した遊技媒体の貸出情報を遊技情報管理装置１０Ａへ送信する（Ｓ１１５）。これにより遊技機１００Ａでの一連の不正貸出管理処理が終了（エンド）する。
【０１０１】
また、遊技情報管理装置１０Ａでの手順は、図９に示すように、遊技機１００Ａより遊技媒体の貸出情報を受け付けたか否かを判定する（Ｓ１２１）。その結果、貸出情報を受け付けた場合（Ｙ）には、次に、受け付けた貸出情報に基づき、貸出管理情報記憶部１３Ａに予め記憶された貸出媒介物の識別情報と貸出許可設定情報及び貸出済累積情報を関連付けて記憶する、例えば貸出管理情報データベースを参照して当該貸出媒介物に対して設定された貸出許可設定情報及び貸出済累積情報を抽出する（Ｓ１２２）。
【０１０２】
次いで、抽出した貸出許可設定情報と貸出済累積情報とを比較して遊技媒体の貸し出し可否を判別する（Ｓ１２３）。その結果、貸出許可設定情報値が貸出済累積情報値より大きく、遊技媒体の貸し出しを許可する場合（Ｙ）には、次に、貸出情報に応じて抽出した上記貸出媒介物に対する貸出済累積情報を累積加算する（Ｓ１２４）。一方、貸出許可設定情報値が貸出済累積情報値と同値または小さく遊技媒体の貸し出しを拒否する場合（Ｎ）は、貸出拒否情報を出力する（Ｓ１２５）。これにより遊技情報管理装置１０Ａでの一連の不正貸出管理処理が終了（エンド）する。
【０１０３】
以上のように本実施の形態によれば、貸出媒介物Ｃに識別情報を付与し、遊技情報管理装置１０Ａにおいて貸出許可設定情報と貸出済累積情報とを管理することで、貸出媒介物Ｃに記憶された貸出許可情報を改竄するなどして増加させても、遊技情報管理装置１０Ａに設けた記憶手段での貸出許可情報の算出により不正な行為が判別でき、遊技媒体の貸し出しを拒否することが出来ることとなる。
【０１０４】
また、本実施の形態においては、遊技媒体貸出情報を遊技機側より受け付けることにより不正な行為を判別するものとしたが、本発明はこれに限らず遊技媒体貸出機側より遊技媒体貸出情報を受け付けることによっても不正な行為を判別することが出来る。以下、本発明の遊技媒体の遊技機不正貸出管理システムの他の構成の一例について、図１１から図１５に基づき説明する。
【０１０５】
図１１は、本発明の実施の形態に係る第二の遊技機不正貸出管理システムの構成及び情報の流れを概略的に説明するブロック図である。また、図１２は、本発明の実施の形態に係る遊技機不正貸出管理システムを構成する各装置の構成を概略的に説明するブロック図である。なお、本実施の形態の説明では、既述した実施の形態における共通する部分は同じ符号を付し、その説明は省略する。
【０１０６】
本発明の第二の遊技機不正貸出管理システムは、図１２に示すように、遊技機１００Ｂに隣接配置された遊技媒体貸出機２Ｂに、遊技媒体との交換を媒介する遊技媒体の貸出許容度数が予め記憶された貸出媒介物Ｃを挿入し、遊技機１００Ｂに設けられた遊技媒体の貸出要求スイッチを操作して遊技媒体の貸し出しを要求する指示によって、遊技媒体の貸し出しが行われる遊技媒体の貸出システムを基本とするものであって、遊技機として上述した構成のスロットマシン１００Ｂと、遊技媒体貸出機として上述した構成のカードユニット２Ｂと、このカードユニット２Ｂと接続された遊技媒体管理装置１０Ｂとにより構成される。
【０１０７】
そして、スロットマシン１００Ｂとカードユニット２Ｂとは、上記実施の形態と同様に、遊技媒体貸出機接続端子板としての中継基板５０を介して接続され、また、中継基板５０は、カードユニット２Ｂと一方的な情報の授受を行う第一コネクタ５１と、中央表示基板４００と一方的な情報の授受を行う第ニコネクタ５２と、主制御基板７００と一方的な情報の授受を行う第三コネクタ５３と、電源装置基板５００と一方的な情報の授受を行う第ニコネクタ５４を有する。
【０１０８】
図１２に示すように、貸出媒介物としてのプリペイドカードＣは、貸出許可情報記憶部Ｃ１と、識別情報記憶部Ｃ２を有する。
【０１０９】
また、遊技媒体貸出機としてのカードユニット２Ｂは、貸出媒介物識別情報取得部２１２と、貸出媒介物識別情報送信部２１３と、貸出要求指示情報受付部２１４と、貸出情報生成部２１５と、貸出媒介物識別情報記憶部２１６と、貸出機識別情報記憶部２１７と、貸出情報送信部２１８と、関連付け識別情報送信部２１９とを有する。
【０１１０】
貸出要求指示情報受付部２１４は、遊技機１００Ｂから遊技媒体の貸出要求指示情報を受け付ける処理を行う。
貸出情報生成部２１５は、遊技媒体の貸出要求指示情報の受け付けに応じて遊技媒体の貸出情報を生成する処理を行う。
貸出情報の生成は、例えば、遊技媒体の貸出要求指示の受け付けに応じて後述する貸出媒介物識別情報記憶部２１６に記憶している貸出媒介物の識別情報を抽出し、抽出した貸出媒介物の識別情報を貸出情報として生成することが出来る。
また、貸出情報の生成は、遊技媒体の貸出要求指示の受け付けに応じて後述する貸出機識別情報記憶部２１７に記憶している遊技媒体貸出機２Ｂの識別情報を抽出し、抽出した識別情報を貸出情報として生成することも出来る。
【０１１１】
貸出媒介物識別情報記憶部２１６は、貸出媒介物識別情報取得部２１２で取得した貸出媒介物の識別情報を記憶する記憶部である。
貸出機識別情報記憶部２１７は、当該遊技媒体貸出機の識別情報を記憶する記憶部である。
貸出情報送信部２１８は、遊技媒体の貸出情報を遊技情報管理装置１０Ｂへ送る処理を行う。
【０１１２】
関連付け識別情報送信部２１９は、貸出媒介物の識別情報の受け付けに応じて上記貸出機識別情報記憶部２１７に記憶されている遊技媒体貸出機２Ｂの識別情報を抽出し、抽出した当該遊技媒体貸出機２Ｂの識別情報と上記受け付けた貸出媒介物Ｃの識別情報とを関連付けて遊技情報管理装置１０Ｂへ送る処理を行う。
【０１１３】
また、遊技機としてのスロットマシン１００Ｂは、貸出要求指示受付部１１２と、貸出要求指示情報生成部１１８と、貸出要求指示情報送信部１１９とを有する。
貸出要求指示情報発生部１１８は、遊技媒体の貸出要求指示の受け付けに応じて遊技媒体の貸出要求指示情報を発生する処理を行う。
貸出要求指示情報送信部１１９は、遊技媒体の貸出要求指示情報を遊技媒体貸出機２Ｂへ送る処理を行う。
【０１１４】
また、遊技情報管理装置１０Ｂは、遊技場であるホールに設置された各スロットマシン１００Ｂに接続して設置されたカードユニット２Ｂに接続して設けられた装置であって、図１２に示すように、貸出媒介物識別情報受付部１１と、貸出情報受付部１２Ｂと、貸出管理情報記憶部１３Ｂと、貸出判別部１４Ｂと、貸出許可情報演算部１５Ｂと、貸出拒否情報出力部１６Ｂとを有する。
【０１１５】
貸出媒介物識別情報受付部１１は、遊技媒体貸出機より送られた貸出媒介物の識別情報を受け付ける処理を行う。
貸出情報受付部１２Ｂは、遊技媒体貸出機より送られた遊技媒体の貸出情報を受け付ける処理を行う。
【０１１６】
貸出管理情報記憶部１３Ｂは、遊技機での遊技を可能とする遊技媒体の貸し出しを許可する貸出媒介物の識別情報と関連付けて当該貸出媒介物に対して設定された貸出許可設定情報及び貸出済累積情報を記憶する記憶部である。
この貸出媒介物の識別情報と貸出許可情報との関連付けを示すものとしては、前記実施の形態と同様に、たとえば図１０に示すような貸出管理情報データベースとすることができる。勿論、この貸出管理情報データベースに、貸出媒介物の識別情報（プリペイドカードＩＤ）と関連付けて遊技媒体貸出機識別情報を記憶しても良い。
これにより、遊技媒体の貸し出しを要求する指示を受け付ける遊技媒体貸出機の遊技機識別情報からでも、当該貸出媒介物が遊技媒体の貸し出しを可能とする貸出許可情報を特定することができる。
【０１１７】
貸出判別部１４Ｂは、受け付けた貸出情報に基づき、上記貸出管理情報記憶部１３Ｂを参照して当該貸出媒介物に対して設定された貸出許可設定情報及び貸出済累積情報を抽出し、抽出した貸出許可設定情報と貸出済累積情報とを比較して遊技媒体の貸し出し可否を判別する処理を行う。
【０１１８】
貸出許可情報演算部１５Ｂは、上記貸出判別部１４Ｂでの貸し出し可否の判別の結果、貸出許可設定情報値が貸出済累積情報値より大きく、遊技媒体の貸し出しを許可する場合に上記貸出情報に応じて抽出した上記貸出媒介物に対する貸出済累積情報を累積加算する処理を行う。
貸出拒否情報出力部１６Ｂは、上記貸出判別部１４Ｂでの貸し出し可否の判別の結果、貸出許可設定情報値が貸出済累積情報値と同値または小さく、遊技媒体の貸し出しを拒否する場合に貸出拒否情報を出力する処理を行う。
【０１１９】
次に、以上のような構成とした遊技媒体の遊技機不正貸出管理システムにより、カードユニット２Ｂ側にて遊技媒体の不正な貸出行為を検知する手順を、図１３から１５に基づき説明する。図１３は、遊技媒体貸出機２Ｂでの手順を示すフローチャートである。また、図１４は、遊技機１００Ｂでの手順を示すフローチャートである。また、図１５は、遊技情報管理装置１０Ｂでの手順を示すフローチャートである。
【０１２０】
まず、遊技媒体の不正な貸出行為を判別する場合の遊技媒体貸出機２Ｂでの手順は、図１３に示すように、カード出入口２２１より貸出媒介物Ｃを受け付けたか否かを判定する（Ｓ２０１）。その結果、貸出媒介物を受け付けた場合（Ｙ）には、次に、その貸出媒介物に記憶されている識別情報を読み取る（Ｓ２０２）。一方、貸出媒介物を受け付けていない場合（Ｎ）は、再度貸出媒介物を受け付けたか否か判定を繰り返す（Ｓ２０１）。そして、遊技媒体貸出機２Ｂは、貸出媒介物に記憶されている識別情報を読み取ると、この貸出媒介物識別情報を遊技情報管理装置１０Ｂへ送信する（Ｓ２０３）。
【０１２１】
次いで、識別情報を遊技機１００Ｂより遊技媒体貸出要求指示情報を受け付けたか否かを判定する（Ｓ２０４）。その結果、遊技媒体の貸出要求指示情報を受け付けた場合（Ｙ）は、次にこの貸出要求指示情報の受け付けに応じて遊技媒体の貸出情報を生成する（Ｓ２０５）。一方、遊技媒体の貸出要求指示情報を受け付けない場合（Ｎ）は、再度遊技媒体の貸し出しを要求する指示情報を受け付けたか否か判定を繰り返す（Ｓ２０４）。この貸出情報は、遊技媒体の貸出要求指示情報の受け付けに応じて貸出機識別情報記憶部２１７に記憶している貸出機の識別情報を抽出し、抽出した識別情報を貸出情報として生成するようにしても良い。
そして、生成した遊技媒体の貸出情報を遊技情報管理装置１０Ｂへ送信する（Ｓ２０６）。これにより遊技媒体貸出機２Ｂでの一連の不正貸出管理処理が終了（エンド）する。
【０１２２】
また、遊技機１００Ｂでの手順は、図１４に示すように、当該遊技機の貸出要求スイッチを押圧操作することにより、遊技媒体の貸し出しを要求する指示を受け付けたか否かを判定する（Ｓ２１１）。その結果、遊技媒体の貸出要求指示を受け付けた場合（Ｙ）は、次にこの貸出要求指示の受け付けに応じて遊技媒体の貸出要求指示情報を発生する（Ｓ２１２）。一方、遊技媒体の貸出要求指示を受け付けない場合（Ｎ）は、再度遊技媒体の貸し出しを要求する指示を受け付けたか否か判定を繰り返す（Ｓ２１１）。そして、発生した遊技媒体の貸出要求指示情報を遊技媒体貸出機２Ｂへ送信する（Ｓ２１３）。これにより遊技機１００Ｂでの一連の不正貸出管理処理が終了（エンド）する。
【０１２３】
また、遊技情報管理装置１０Ｂでの手順は、図１５に示すように、まず、遊技媒体貸出機２Ｂより貸出媒介物の識別情報を受け付けたか否かを判定する（Ｓ２２１）。その結果、貸出情報を受け付けた場合（Ｙ）には、引き続き遊技媒体貸出機２Ｂより遊技媒体の貸出情報を受け付けたか否かを判定する（Ｓ２２２）。一方、貸出媒介物の識別情報を受け付けない場合（Ｎ）は、再度貸出媒介物の識別情報を受け付けたか否か判定を繰り返す（Ｓ２２１）。
【０１２４】
その結果、遊技媒体貸出機２Ｂより遊技媒体の貸出情報を受け付けた場合（Ｙ）には、次に、受け付けた貸出情報に基づき、貸出管理情報記憶部１３Ｂに予め記憶された貸出媒介物の識別情報と貸出許可設定情報及び貸出済累積情報を関連付けて記憶する、例えば貸出管理情報データベースを参照して当該貸出媒介物に対して設定された貸出許可設定情報及び貸出済累積情報を抽出する（Ｓ２２３）。
【０１２５】
次いで、抽出した貸出許可設定情報と貸出済累積情報とを比較して遊技媒体の貸し出し可否を判別する（Ｓ２２４）。その結果、貸出許可設定情報値が貸出済累積情報値より大きく、遊技媒体の貸し出しを許可する場合（Ｙ）には、次に、貸出情報に応じて抽出した上記貸出媒介物に対する貸出済累積情報を累積加算する（Ｓ２２５）。一方、貸出許可設定情報値が貸出済累積情報値と同値または小さく遊技媒体の貸し出しを拒否する場合（Ｎ）は、貸出拒否情報を出力する（Ｓ２２６）。これにより遊技情報管理装置１０Ｂでの一連の不正貸出管理処理が終了（エンド）する。
【０１２６】
以上のように本実施の形態によっても、貸出媒介物Ｃに識別情報を付与し、当該貸出媒介物に記憶されている貸出許可情報を、遊技情報管理装置１０Ｂにおいて記憶して管理することにより、貸出媒介物Ｃに記憶された貸出許可情報を改竄するなどして増加させても、遊技情報管理装置１０Ｂに設けた記憶手段での貸出許可情報の確認により不正な行為が判別でき、遊技媒体の貸し出しを拒否することが出来ることとなる。
【０１２７】
また、上記各実施の形態においては、遊技媒体貸出情報を遊技機側または遊技媒体貸出機側の何れかより受け付けることにより不正な行為を判別するものとしたが、本発明はこれに限らず遊技媒体貸出情報を遊技機側及び遊技媒体貸出機側の双方から受け付けることによっても不正な行為を判別することが出来る。以下、本発明の遊技媒体の遊技機不正貸出管理システムのさらに他の構成の一例について、図１６から図２０１５に基づき説明する。
【０１２８】
図１６は、本発明の実施の形態に係る第三の遊技機不正貸出管理システムの構成及び情報の流れを概略的に説明するブロック図である。また、図１７は、本発明の実施の形態に係る遊技機不正貸出管理システムを構成する各装置の構成を概略的に説明するブロック図である。なお、本実施の形態の説明では、既述した実施の形態における共通する部分は同じ符号を付し、その説明は省略する。
【０１２９】
本発明の第三の遊技機不正貸出管理システムは、図１６に示すように、遊技機１００Ｃに隣接配置された遊技媒体貸出機２Ｃに、遊技媒体との交換を媒介する遊技媒体の貸出許容度数が予め記憶された貸出媒介物Ｃを挿入し、遊技機１００Ｃに設けられた遊技媒体の貸出要求スイッチを操作して遊技媒体の貸し出しを要求する指示によって、遊技媒体の貸し出しが行われる遊技媒体の貸出システムを基本とするものであって、遊技機として上述した構成のスロットマシン１００Ｃと、遊技媒体貸出機として上述した構成のカードユニット２Ｃと、このスロットマシン１００Ｃ及びカードユニット２Ｃに接続された遊技媒体管理装置１０Ｃとにより構成される。
【０１３０】
そして、スロットマシン１００Ｃとカードユニット２Ｃとは、上記各実施の形態と同様に、遊技媒体貸出機接続端子板としての中継基板５０を介して接続され、また、中継基板５０は、カードユニット２Ｃと一方的な情報の授受を行う第一コネクタ５１と、中央表示基板４００と一方的な情報の授受を行う第ニコネクタ５２と、主制御基板７００と一方的な情報の授受を行う第三コネクタ５３と、電源装置基板５００と一方的な情報の授受を行う第ニコネクタ５４を有する。
【０１３１】
図１７に示すように、貸出媒介物としてのプリペイドカードＣは、貸出許可情報記憶部Ｃ１と、識別情報記憶部Ｃ２を有する。
【０１３２】
また、遊技媒体貸出機としてのカードユニット２Ｃは、貸出媒介物識別情報取得部２１２と、貸出媒介物識別情報送信部２１３と、貸出要求指示情報受付部２１４と、貸出情報生成部２１５と、貸出媒介物識別情報記憶部２１６と、貸出機識別情報記憶部２１７と、貸出情報送信部２１８と、関連付け識別情報送信部２１９とを有する。
【０１３３】
また、遊技機としてのスロットマシン１００Ｃは、貸出媒介物識別情報受付部１１１と、貸出要求指示受付部１１２と、貸出情報生成部１１３と、貸出媒介物識別情報記憶部１１４と、遊技機識別情報記憶部１１５と、貸出情報送信部１１６と、関連付け識別情報送信部１１７と、貸出要求指示情報生成部１１８と、貸出要求指示情報送信部１１９とを有する。
【０１３４】
また、遊技情報管理装置１０Ｃは、遊技場であるホールに設置された各スロットマシン１００Ｃに接続して設置されたカードユニット２Ｃに接続して設けられた装置であって、図１７に示すように、貸出媒介物識別情報受付部１１と、遊技機貸出情報受付部１２Ａと、貸出機貸出情報受付部１２Ｂと、貸出管理情報記憶部１３Ｃと、第１貸出判別部１４Ｃと、第２貸出判別部１４Ｄと、貸出許可情報演算部１５Ｃと、貸出拒否情報出力部１６Ｃと、遊技機貸出許可情報抽出部１７と、貸出機貸出許可情報抽出部１８とを有する。
【０１３５】
遊技機貸出許可情報抽出部１７は、遊技機貸出情報受付部１２Ａで受け付けた貸出情報に基づき、貸出管理情報記憶部１３Ｃを参照して当該貸出媒介物の貸出許可情報を抽出する処理を行う。
また、貸出機貸出許可情報抽出部１８は、貸出機貸出情報受付部１２Ｂで受け付けた貸出情報に基づき、貸出管理情報記憶部１３Ｃを参照して当該貸出媒介物の貸出許可情報を抽出する処理を行う。
【０１３６】
第１貸出判別部１４Ｃは、遊技機貸出許可情報抽出部１７と貸出機貸出許可情報抽出部１８における貸出済累積情報同士が同値であるか否か比較し、遊技媒体の貸し出し可否を判別する処理を行う。
また、第２貸出判別部１４Ｄは、第１貸出判別部１４Ｃでの判別の結果、貸出済累積情報が同値であり、遊技媒体の貸し出しを許可する場合に、さらに遊技機貸出許可情報抽出部１７及び貸出機貸出許可情報抽出部１８において抽出した貸出許可設定情報と貸出済累積情報とを比較して遊技媒体の貸し出し可否を判別する処理を行う。
【０１３７】
次に、以上のような構成とした遊技媒体の遊技機不正貸出管理システムにより、遊技機１００Ｃ側及びカードユニット２Ｃ側にて遊技媒体の不正な貸出行為を検知する手順を、図１８から２０に基づき説明する。図１８は、遊技媒体貸出機２Ｃでの手順を示すフローチャートである。また、図１９は、遊技機１００Ｃでの手順を示すフローチャートである。また、図２０は、遊技情報管理装置１０Ｃでの手順を示すフローチャートである。
【０１３８】
まず、遊技媒体の不正な貸出行為を判別する場合の遊技媒体貸出機２Ｃでの手順は、図１８に示すように、カード出入口２２１より貸出媒介物Ｃを受け付けたか否かを判定する（Ｓ３０１）。その結果、貸出媒介物を受け付けた場合（Ｙ）には、次に、その貸出媒介物に記憶されている識別情報を読み取る（Ｓ３０２）。一方、貸出媒介物を受け付けていない場合（Ｎ）は、再度貸出媒介物を受け付けたか否か判定を繰り返す（Ｓ３０１）。そして、遊技媒体貸出機２Ｃは、読み取った識別情報を遊技情報管理装置１０Ｃ及び遊技機１００Ｃへ送信する（Ｓ３０３）。
【０１３９】
次いで、遊技媒体貸出機２Ｃは、識別情報を遊技機１００Ｃより遊技媒体貸出要求指示情報を受け付けたか否かを判定する（Ｓ３０４）。その結果、遊技媒体の貸出要求指示情報を受け付けた場合（Ｙ）は、次にこの貸出要求指示情報の受け付けに応じて遊技媒体の貸出情報を生成する（Ｓ３０４）。一方、遊技媒体の貸出要求指示情報を受け付けない場合（Ｎ）は、再度遊技媒体の貸し出しを要求する指示情報を受け付けたか否か判定を繰り返す（Ｓ３０４）。そして、生成した遊技媒体の貸出情報を遊技情報管理装置１０Ｃへ送信する（Ｓ３０６）。これにより遊技媒体貸出機２Ｃでの一連の不正貸出管理処理が終了（エンド）する。
【０１４０】
また、遊技機１００Ｃでの手順は、図１９に示すように、遊技媒体貸出機２Ｃより貸出媒介物Ｃの識別情報を受け付けたか否かを判定する（Ｓ３１１）。その結果、識別情報を受け付けた場合（Ｙ）には、次に、その識別情報を貸出媒介物識別情報記憶部１１４に記憶する（Ｓ３１２）。一方、識別情報を受け付けていない場合（Ｎ）は、再度貸出媒介物Ｃの識別情報を受け付けたか否か判定を繰り返す（Ｓ３１１）。
【０１４１】
次いで、遊技機１００Ｃでは、当該遊技機の貸出要求スイッチを押圧操作することにより、遊技媒体の貸し出しを要求する指示を受け付けたか否かを判定する（Ｓ３１３）。その結果、遊技媒体の貸出要求指示を受け付けた場合（Ｙ）は、次にこの貸出要求指示の受け付けに応じて、遊技媒体の貸出情報を生成すると共に、遊技媒体の貸出要求指示情報を発生する（Ｓ３１４）。一方、遊技媒体の貸出要求指示を受け付けない場合（Ｎ）は、再度遊技媒体の貸し出しを要求する指示を受け付けたか否か判定を繰り返す（Ｓ３１３）。貸出情報は、遊技媒体の貸出要求指示の受け付けに応じて遊技機識別情報記憶部１１５に記憶している遊技機の識別情報を抽出し、抽出した識別情報を貸出情報として生成するようにすると良い。
【０１４２】
そして、生成した遊技媒体の貸出情報を遊技情報管理装置１０Ｃへ送信すると共に、発生した遊技媒体の貸出要求指示情報を遊技媒体貸出機２Ｃへ送信する（Ｓ３１５）。これにより遊技機１００Ｃでの一連の不正貸出管理処理が終了（エンド）する。
【０１４３】
また、遊技情報管理装置１０Ｃでの手順は、図２０に示すように、遊技機１００Ｃより遊技媒体の貸出情報を受け付けたか否かを判定する（Ｓ３２１）。その結果、貸出情報を受け付けた場合（Ｙ）には、次に、受け付けた貸出情報に基づき、貸出管理情報記憶部１３Ｃに予め記憶された貸出媒介物の識別情報と貸出許可情報とを関連付けて記憶する、例えば図１０に示す貸出管理情報データベースを参照して当該貸出媒介物に対して設定された貸出許可設定情報及び貸出済累積情報を抽出する（Ｓ３２２）。
【０１４４】
一方、貸出情報を受け付けていない場合（Ｙ）には、引き続き遊技媒体貸出機２Ｃより遊技媒体の貸出情報を受け付けたか否かを判定する（Ｓ３２３）。その結果、貸出情報を受け付けた場合（Ｙ）には、次に、受け付けた貸出情報に基づき、貸出管理情報記憶部１３Ｃに予め記憶された貸出媒介物の識別情報と貸出許可情報を関連付けて記憶する、例えば図１０に示す貸出管理情報データベースを参照して当該貸出媒介物に対して設定された貸出許可設定情報及び貸出済累積情報を抽出する（Ｓ３２４）。
【０１４５】
次いで、抽出した二つの貸出許可情報を比較する（Ｓ３２５）。その結果、比較する二つの貸出許可情報が互いに同じである場合は、続いて抽出した貸出許可情報より遊技媒体の貸し出し可否を判別する（Ｓ３２６）。その結果、貸出許可設定情報値が貸出済累積情報値より大きく、遊技媒体の貸し出しを許可する場合（Ｙ）には、次に、貸出情報に応じて抽出した上記貸出媒介物に対する貸出済累積情報を累積加算（Ｓ３２７）。一方、貸出許可設定情報値が貸出済累積情報値と同値または小さく遊技媒体の貸し出しを拒否する場合（Ｎ）は、貸出拒否情報を出力する（Ｓ３２８）。これにより遊技情報管理装置１０Ｃでの一連の不正貸出管理処理が終了（エンド）する。
【０１４６】
以上のように本実施の形態によっても、貸出媒介物Ｃに識別情報を付与し、当該貸出媒介物に記憶されている貸出許可情報を、遊技情報管理装置１０Ｃにおいて記憶して管理することにより、貸出媒介物Ｃに記憶された貸出許可情報を改竄するなどして増加させても、遊技情報管理装置１０Cに設けた記憶手段での貸出許可情報の確認により不正な行為が判別でき、遊技媒体の貸し出しを拒否することが出来ることとなる。
【０１４７】
なお、本実施の形態においては、遊技機としてスロットマシンの場合について説明したが、本発明はカード式の遊技機であればパチンコやその他の遊技機としても良いものである。
【図面の簡単な説明】
【０１４８】
【図１】本発明の実施の形態で用いる遊技機（スロットマシン）の外部構造を示した平面図である。
【図２】本発明の実施の形態で用いる遊技機におけるカード表示部の構成を示す部分拡大斜視図である。
【図３】本発明の実施の形態で用いる遊技機の内部構造を示した全体斜視図である。
【図４】本発明の実施の形態で用いる遊技機に設けられている制御システムの構成を示したブロック図である。
【図５】本発明の実施の形態に係る第一の遊技機不正貸出管理システムの構成及び情報の流れを概略的に説明するブロック図である。
【図６】本発明の実施の形態に係る第一の遊技機不正貸出管理システムを構成する装置の構成を概略的に説明するブロック図である。
【図７】本発明の実施の形態に係る第一の遊技機不正貸出管理システムの遊技媒体貸出機での手順を示すフローチャートである。
【図８】本発明の実施の形態に係る第一の遊技機不正貸出管理システムの遊技機での手順を示すフローチャートである。
【図９】本発明の実施の形態に係る第一の遊技機不正貸出管理システムの遊技情報管理装置での手順を示すフローチャートである。
【図１０】本発明の実施の形態に係る第一の遊技機不正貸出管理システムで用いる遊技情報管理装置に記録される貸出管理情報記憶手段の構造を示す一例である。
【図１１】本発明の実施の形態に係る第二の遊技機不正貸出管理システムの構成及び情報の流れを概略的に説明するブロック図である。
【図１２】本発明の実施の形態に係る第二の遊技機不正貸出管理システムを構成する装置の構成を概略的に説明するブロック図である。
【図１３】本発明の実施の形態に係る第二の遊技機不正貸出管理システムの遊技媒体貸出機での手順を示すフローチャートである。
【図１４】本発明の実施の形態に係る第二の遊技機不正貸出管理システムの遊技機での手順を示すフローチャートである。
【図１５】本発明の実施の形態に係る第二の遊技機不正貸出管理システムの遊技情報管理装置での手順を示すフローチャートである。
【図１６】本発明の実施の形態に係る第三の遊技機不正貸出管理システムの構成及び情報の流れを概略的に説明するブロック図である。
【図１７】本発明の実施の形態に係る第三の遊技機不正貸出管理システムを構成する装置の構成を概略的に説明するブロック図である。
【図１８】本発明の実施の形態に係る第三の遊技機不正貸出管理システムの遊技媒体貸出機での手順を示すフローチャートである。
【図１９】本発明の実施の形態に係る第三の遊技機不正貸出管理システムの遊技機での手順を示すフローチャートである。
【図２０】本発明の実施の形態に係る第三の遊技機不正貸出管理システムの遊技情報管理装置での手順を示すフローチャートである。
【符号の説明】
【０１４９】
Ｃ  貸出媒介物（プリペイドカード）
２Ａ，２Ｂ，２Ｃ  遊技媒体貸出機（カードユニット）
１０Ａ，１０Ｂ，１０Ｃ  遊技情報管理装置（ホールコンピュータ）
５０  遊技媒体貸出機接続端子板（中継基板）
１００Ａ，１００Ｂ，１００Ｃ  遊技機（スロットマシン）
３００  サブ制御基板
４００  中央表示基板
５００  電源装置基板
６００  回胴装置基板
７００  主制御基板
８００  外部集中端子基板（外部集中端子板）。
【図１】
2005334174.tif 000003
【図２】
2005334174.tif 000004
【図３】
2005334174.tif 000005
【図４】
2005334174.tif 000006
【図５】
2005334174.tif 000007
【図６】
2005334174.tif 000008
【図７】
2005334174.tif 000009
【図８】
2005334174.tif 000010
【図９】
2005334174.tif 000011
【図１０】
2005334174.tif 000012
【図１１】
2005334174.tif 000013
【図１２】
2005334174.tif 000014
【図１３】
2005334174.tif 000015
【図１４】
2005334174.tif 000016
【図１５】
2005334174.tif 000017
【図１６】
2005334174.tif 000018
【図１７】
2005334174.tif 000019
【図１８】
2005334174.tif 000020
【図１９】
2005334174.tif 000021
【図２０】
2005334174.tif 000022